(57)【要約】  本発明は、チャネル状態情報を送信するための方法及びデバイスを開示する。ここで、本方法は、第１のネットワークデバイスが、第２のネットワークデバイスによって送信される基準信号の測定に従ってチャネル状態情報を決定することを含み、チャネル状態情報は、プリコーディング行列インジケーションＰＭＩと、ＰＭＩによって示されるプリコーディング行列内の行列要素を選択するように命令するのに用いられる選択情報とを含み、また、本方法は、チャネル状態情報を第２のネットワークデバイスに送信することを含む。チャネル状態情報は、第２のネットワークデバイスに、プリコーディングを実行するように命令するのに用いられるプリコーディング行列インジケーションＰＭＩと、ＰＭＩによって示されるプリコーディング行列内の行列要素を選択するように命令するのに用いられる選択情報とを含むので、第２のネットワークデバイスは、行列要素のための選択情報に従って、プリコーディングを実行するためのプリコーディング行列を決定し、２次元アンテナに適用可能なチャネルプリコーディング行列を合成することができる。したがって、合成されたプリコーディング行列の次元は、実際のチャネルの空間特徴により近く、これによって、プリコーディング行列の精度が効果的に改善する。
2017502599.tif 000002
【特許請求の範囲】
【請求項１】
チャネル状態情報を送信するための方法であって、
第１のネットワークデバイスが、第２のネットワークデバイスによって送信される基準信号の測定に従ってチャネル状態情報を決定するステップであって、前記チャネル状態情報は、プリコーディング行列インジケーションＰＭＩと、前記ＰＭＩによって示されるプリコーディング行列内の行列要素を選択するように命令するのに用いられる選択情報とを含む、ステップと、
前記チャネル状態情報を前記第２のネットワークデバイスに送信するステップと、
を含む、方法。
【請求項２】
ダブルコードブック構造の場合、前記ＰＭＩによって示される前記プリコーディング行列は、２つのサブＰＭＩによってそれぞれ示されるプリコーディング行列を合成することによって得られる、請求項１に記載の方法。
【請求項３】
前記チャネル状態情報は、少なくとも２つのＰＭＩに関する情報を含む、請求項１に記載の方法。
【請求項４】
前記チャネル状態情報は、前記少なくとも２つのＰＭＩによって示されるプリコーディング行列内の行列要素を選択するための選択情報を含む、請求項１又は３に記載の方法。
【請求項５】
前記少なくとも２つのＰＭＩに関する前記情報は、異なる基準信号の構成情報に従った測定によって得られる、請求項３に記載の方法。
【請求項６】
前記少なくとも２つのＰＭＩに関する前記情報は、異なるチャネル状態情報プロセスＣＳＩ  ｐｒｏｃｅｓｓの構成情報に従った測定によって得られる、請求項３に記載の方法。
【請求項７】
前記ＰＭＩによって示されるプリコーディング行列内の行列要素を選択するように命令するのに用いられる前記選択情報は、列選択情報及び行選択情報を含む、請求項１乃至４のいずれか一項に記載の方法。
【請求項８】
前記チャネル状態情報が少なくとも２つのＰＭＩを含むとき、前記少なくとも２つのＰＭＩによってそれぞれ示されるプリコーディング行列内の行列要素に対する列選択を実行するように命令するのに用いられる列の量の積は、第１の数値以下である、請求項１乃至７のいずれか一項に記載の方法。
【請求項９】
前記チャネル状態情報が少なくとも２つのＰＭＩを含むとき、前記少なくとも２つのＰＭＩによってそれぞれ示されるプリコーディング行列内の行列要素に対する列選択を実行するように命令するのに用いられる列の量の積は、第１の数値以上である、請求項１乃至７のいずれか一項に記載の方法。
【請求項１０】
前記第１の数値は、前記第１のネットワークデバイスによって報告される第１の階数インジケーションＲＩであるか、又は前記第１の数値は、前記第２のネットワークデバイスによって構成される第１のＲＩである、請求項８又は９に記載の方法。
【請求項１１】
前記第１の数値は、前記第１のネットワークデバイスの受信アンテナの量と、前記第２のネットワークデバイスの送信アンテナの量とのうちの小さい方である、請求項８又は９に記載の方法。
【請求項１２】
前記チャネル状態情報が少なくとも２つのＰＭＩを含むとき、各ＰＭＩによって示されるプリコーディング行列内の行列要素に対する列選択を実行するように命令するのに用いられる列の量は、第２の数値以下である、請求項１乃至７のいずれか一項に記載の方法。
【請求項１３】
前記チャネル状態情報が少なくとも２つのＰＭＩを含むとき、各ＰＭＩによって示されるプリコーディング行列内の行列要素に対する列選択を実行するように命令するのに用いられる列の量は、第２の数値以上である、請求項１乃至７のいずれか一項に記載の方法。
【請求項１４】
前記第２の数値は、前記第１のネットワークデバイスによって報告される第２の階数インジケーションＲＩであるか、又は前記第２の数値は、前記第２のネットワークによって構成される第２のＲＩである、請求項１２又は１３に記載の方法。
【請求項１５】
前記第２の数値は、前記第１のネットワークデバイスの受信アンテナの量と、前記第２のネットワークデバイスの送信アンテナの量とのうちの小さい方である、請求項１２又は１３に記載の方法。
【請求項１６】
異なるＰＭＩによって示されるプリコーディング行列について、前記第１のネットワークデバイスは、前記プリコーディング行列の各々における行列要素に対する列選択を実行するための第３の数値を別個に決定する、請求項１２乃至１５のいずれか一項に記載の方法。
【請求項１７】
前記第３の数値は、前記第１のネットワークデバイスによって報告される第３の階数インジケーションＲＩであるか、又は前記第３の数値は、前記第２のネットワークデバイスによって構成される第３のＲＩである、請求項１６に記載の方法。
【請求項１８】
前記列選択情報はビットマップ信号伝達フォーマットである、請求項１乃至１７に記載の方法。
【請求項１９】
前記少なくとも２つのＰＭＩによって示される前記プリコーディング行列に対する列選択を実行するための前記選択情報のために、独立コーディング方式又は共同コーディング方式が用いられる、請求項１乃至１８に記載の方法。
【請求項２０】
前記チャネル状態情報は、チャネル品質インジケータＣＱＩ情報を更に含み、前記ＣＱＩ情報は、各ＰＭＩによって示されるプリコーディング行列に従って計算される第１のＣＱＩ及び／又は各ＰＭＩによって示されるプリコーディング行列に対し列選択が実行された後のプリコーディング行列に従って得られる第２のＣＱＩを含む、請求項１に記載の方法。
【請求項２１】
前記チャネル状態情報は、チャネル品質インジケータＣＱＩ情報を更に含み、前記ＣＱＩ情報は、前記少なくとも２つのＰＭＩによって示されるプリコーディング行列に対しクロネッカー積を実行することによって得られるプリコーディング行列に従って計算される第３のＣＱＩ、及び／又は前記少なくとも２つのＰＭＩによって示されるプリコーディング行列に対し列選択が実行された後のプリコーディング行列に対しクロネッカー積を実行することによって得られるプリコーディング行列に従って計算される第４のＣＱＩを更に含む、請求項１に記載の方法。
【請求項２２】
前記第１のネットワークデバイスによって送信される前記チャネル状態情報は、
前記第１のＣＱＩ、又は
前記第１のＣＱＩ及び前記第３のＣＱＩ、又は
前記第３のＣＱＩ及び少なくとも１つの第１のＣＱＩに従って得られた微分値、又は
前記第１のＣＱＩ及び前記第２のＣＱＩ、又は
前記第２のＣＱＩ及び少なくとも１つの第１のＣＱＩに従って得られた微分値、又は
前記第１のＣＱＩ及び前記第４のＣＱＩ、又は
前記第４のＣＱＩ及び少なくとも１つの第１のＣＱＩに従って得られた微分値、又は
前記第２のＣＱＩ及び前記第４のＣＱＩ、又は
前記第２のＣＱＩ、並びに前記第４のＣＱＩ及び前記第２のＣＱＩ値に従って得られた微分値、
前記第２のＣＱＩ及び前記第３のＣＱＩ、又は
前記第２のＣＱＩ、並びに前記第３のＣＱＩ及び前記第２のＣＱＩ値に従って得られた微分値、又は
前記第３のＣＱＩ及び前記第４のＣＱＩ、又は
前記第３のＣＱＩ、並びに前記第４のＣＱＩ及び前記第３のＣＱＩ値に従って得られた微分値、
を更に含む、請求項２０又は２１に記載の方法。
【請求項２３】
前記第１のネットワークデバイスは端末デバイスであり、前記第２のネットワークデバイスは基地局デバイスであるか、又は
前記第１のネットワークデバイスは端末デバイスであり、前記第２のネットワークデバイスは端末デバイスであるか、又は
前記第１のネットワークデバイスは基地局デバイスであり、前記第２のネットワークデバイスは基地局デバイスである、請求項１に記載の方法。
【請求項２４】
チャネル状態情報を送信するための方法であって、
第２のネットワークデバイスが、第１のネットワークデバイスによって送信されるチャネル状態情報を受信するステップであって、前記チャネル状態情報は、プリコーディング行列インジケーションＰＭＩと、前記ＰＭＩによって示されるプリコーディング行列内の行列要素を選択するのに用いられる選択情報とを含む、ステップと、
前記チャネル状態情報に従って、前記第１のネットワークデバイスと通信するのに用いられるプリコーディング行列を得るステップと、
を含む、方法。
【請求項２５】
前記チャネル状態情報に従って、前記第１のネットワークデバイスと通信するのに用いられるプリコーディング行列を得るステップは、
前記第２のネットワークデバイスが、前記選択情報に従って、前記ＰＭＩによって示される前記プリコーディング行列内の行列要素を選択し、前記選択された行列要素を用いることによって、前記第１のネットワークデバイスと通信するのに用いられるプリコーディング行列を生成するステップを含む、請求項２４に記載の方法。
【請求項２６】
ダブルコードブック構造の場合、前記ＰＭＩによって示される前記プリコーディング行列は、２つのサブＰＭＩによってそれぞれ示されるプリコーディング行列を合成することによって得られる、請求項２４に記載の方法。
【請求項２７】
前記チャネル状態情報は、少なくとも２つのＰＭＩに関する情報を含む、請求項２４に記載の方法。
【請求項２８】
前記チャネル状態情報は、前記少なくとも２つのＰＭＩによって示されるプリコーディング行列内の行列要素を選択するための選択情報を含む、請求項２４又は２７に記載の方法。
【請求項２９】
前記少なくとも２つのＰＭＩに関する前記情報は、前記第１のネットワークデバイスによって、異なる基準信号の構成情報に従った測定によって得られる、請求項２７に記載の方法。
【請求項３０】
前記少なくとも２つのＰＭＩに関する前記情報は、前記第１のネットワークデバイスによって、異なるチャネル状態情報プロセスＣＳＩ  ｐｒｏｃｅｓｓの構成情報に従った測定によって得られる、請求項２７に記載の方法。
【請求項３１】
前記ＰＭＩによって示されるプリコーディング行列内の行列要素を選択するように命令するのに用いられる前記選択情報は、列選択情報及び行選択情報を含む、請求項２４乃至２８のいずれか一項に記載の方法。
【請求項３２】
前記チャネル状態情報が少なくとも２つのＰＭＩを含むとき、前記少なくとも２つのＰＭＩによってそれぞれ示されるプリコーディング行列内の行列要素に対する列選択を実行するように命令するのに用いられる列の量の積は、第１の数値以下である、請求項２４乃至３１のいずれか一項に記載の方法。
【請求項３３】
前記チャネル状態情報が少なくとも２つのＰＭＩを含むとき、前記少なくとも２つのＰＭＩによってそれぞれ示されるプリコーディング行列内の行列要素に対する列選択を実行するように命令するのに用いられる列の量の積は、第１の数値以上である、請求項２４乃至３１のいずれか一項に記載の方法。
【請求項３４】
前記第１の数値は、前記第１のネットワークデバイスによって報告される第１の階数インジケーションＲＩであるか、又は前記第１の数値は、前記第２のネットワークデバイスによって構成される第１のＲＩである、請求項３２又は３３に記載の方法。
【請求項３５】
前記第１の数値は、前記第１のネットワークデバイスの受信アンテナの量と、前記第２のネットワークデバイスの送信アンテナの量とのうちの小さい方である、請求項３２又は３３に記載の方法。
【請求項３６】
前記チャネル状態情報が少なくとも２つのＰＭＩを含むとき、各ＰＭＩによって示されるプリコーディング行列内の行列要素に対する列選択を実行するように命令するのに用いられる列の量は、第２の数値以下である、請求項２４乃至３１のいずれか一項に記載の方法。
【請求項３７】
前記チャネル状態情報が少なくとも２つのＰＭＩを含むとき、各ＰＭＩによって示されるプリコーディング行列内の行列要素に対する列選択を実行するように命令するのに用いられる列の量は、第２の数値以上である、請求項２４乃至３１のいずれか一項に記載の方法。
【請求項３８】
前記第２の数値は、前記第１のネットワークデバイスによって報告される第２の階数インジケーションＲＩであるか、又は前記第２の数値は、前記第２のネットワークデバイスによって構成される第２のＲＩである、請求項３６又は３７に記載の方法。
【請求項３９】
前記第２の数値は、前記第１のネットワークデバイスの受信アンテナの量と、前記第２のネットワークデバイスの送信アンテナの量とのうちの小さい方である、請求項３６又は３７に記載の方法。
【請求項４０】
異なるＰＭＩによって示されるプリコーディング行列について、前記第１のネットワークデバイスは、前記プリコーディング行列の各々における行列要素に対する列選択を実行するための第３の数値を別個に決定する、請求項３６乃至３９のいずれか一項に記載の方法。
【請求項４１】
前記第３の数値は、前記第１のネットワークデバイスによって報告される第３の階数インジケーションＲＩであるか、又は前記第３の数値は、前記第２のネットワークデバイスによって構成される第３のＲＩである、請求項４０に記載の方法。
【請求項４２】
前記列選択情報はビットマップ信号伝達フォーマットである、請求項２４乃至４１に記載の方法。
【請求項４３】
前記少なくとも２つのＰＭＩによって示される前記プリコーディング行列に対する列選択を実行するための前記選択情報のために、独立コーディング方式又は共同コーディング方式が用いられる、請求項２４乃至４２に記載の方法。
【請求項４４】
前記チャネル状態情報は、チャネル品質インジケータＣＱＩ情報を更に含み、前記ＣＱＩ情報は、各ＰＭＩによって示されるプリコーディング行列に従って計算される第１のＣＱＩ及び／又は各ＰＭＩによって示されるプリコーディング行列に対し列選択が実行された後のプリコーディング行列に従って得られる第２のＣＱＩを含む、請求項２４に記載の方法。
【請求項４５】
前記チャネル状態情報は、チャネル品質インジケータＣＱＩ情報を更に含み、前記ＣＱＩ情報は、前記少なくとも２つのＰＭＩによって示されるプリコーディング行列に対しクロネッカー積を実行することによって得られるプリコーディング行列に従って計算される第３のＣＱＩ、及び／又は前記少なくとも２つのＰＭＩによって示されるプリコーディング行列に対し列選択が実行された後のプリコーディング行列に対しクロネッカー積を実行することによって得られるプリコーディング行列に従って計算される第４のＣＱＩを更に含む、請求項２４に記載の方法。
【請求項４６】
前記第２のネットワークデバイスによって受信される前記チャネル状態情報は、
前記第１のＣＱＩ、又は
前記第１のＣＱＩ及び前記第３のＣＱＩ、又は
前記第３のＣＱＩ及び少なくとも１つの第１のＣＱＩに従って得られた微分値、又は
前記第１のＣＱＩ及び前記第２のＣＱＩ、又は
前記第２のＣＱＩ及び少なくとも１つの第１のＣＱＩに従って得られた微分値、又は
前記第１のＣＱＩ及び前記第４のＣＱＩ、又は
前記第４のＣＱＩ及び少なくとも１つの第１のＣＱＩに従って得られた微分値、又は
前記第２のＣＱＩ及び前記第４のＣＱＩ、又は
前記第２のＣＱＩ、並びに前記第４のＣＱＩ及び前記第２のＣＱＩ値に従って得られた微分値、
前記第２のＣＱＩ及び前記第３のＣＱＩ、又は
前記第２のＣＱＩ、並びに前記第３のＣＱＩ及び前記第２のＣＱＩ値に従って得られた微分値、又は
前記第３のＣＱＩ及び前記第４のＣＱＩ、又は
前記第３のＣＱＩ、並びに前記第４のＣＱＩ及び前記第３のＣＱＩ値に従って得られた微分値、
を更に含む、請求項４４又は４５に記載の方法。
【請求項４７】
チャネル状態情報を送信するためのデバイスであって、
第２のネットワークデバイスによって送信される基準信号の測定に従ってチャネル状態情報を決定するように構成される決定モジュールであって、前記チャネル状態情報は、プリコーディング行列インジケーションＰＭＩと、前記ＰＭＩによって示されるプリコーディング行列内の行列要素を選択するように命令するのに用いられる選択情報とを含む、決定モジュールと、
前記チャネル状態情報を前記第２のネットワークデバイスに送信するように構成される送信モジュールと、
を備える、デバイス。
【請求項４８】
前記送信デバイスは端末デバイス又は基地局デバイスである、請求項４７に記載の送信デバイス。
【請求項４９】
チャネル状態情報を送信するためのデバイスであって、
第１のネットワークデバイスによって送信されるチャネル状態情報を受信するように構成される受信モジュールであって、前記チャネル状態情報は、プリコーディング行列インジケーションＰＭＩと、前記ＰＭＩによって示されるプリコーディング行列内の行列要素を選択するのに用いられる選択情報とを含む、受信モジュールと、
前記チャネル状態情報に従って、前記第１のネットワークデバイスと通信するのに用いられるプリコーディング行列を得るように構成される、送信モジュールと、
を備える、デバイス。
【請求項５０】
前記送信モジュールは、前記選択情報に従って、前記ＰＭＩによって示される前記プリコーディング行列内の行列要素を選択し、前記選択された行列要素を用いることによって、前記第１のネットワークデバイスと通信するのに用いられるプリコーディング行列を生成するように特に構成される、請求項４９に記載の送信デバイス。
【請求項５１】
チャネル状態情報を送信するためのデバイスであって、
第２のネットワークデバイスによって送信される基準信号の測定に従ってチャネル状態情報を決定するように構成されるプロセッサであって、前記チャネル状態情報は、プリコーディング行列インジケーションＰＭＩと、前記ＰＭＩによって示されるプリコーディング行列内の行列要素を選択するように命令するのに用いられる選択情報とを含む、プロセッサと、
前記チャネル状態情報を前記第２のネットワークデバイスに送信するように構成される信号送信機と、
を備える、デバイス。
【請求項５２】
前記送信デバイスは端末デバイス又は基地局デバイスである、請求項５０に記載の送信デバイス。
【請求項５３】
チャネル状態情報を送信するためのデバイスであって、
第１のネットワークデバイスによって送信されるチャネル状態情報を受信するように構成される信号受信機であって、前記チャネル状態情報は、プリコーディング行列インジケーションＰＭＩと、前記ＰＭＩによって示されるプリコーディング行列内の行列要素を選択するのに用いられる選択情報とを含む、信号受信機と、
前記チャネル状態情報に従って、前記第１のネットワークデバイスと通信するのに用いられるプリコーディング行列を得るように構成される、プロセッサと、
を備える、デバイス。
【請求項５４】
前記プロセッサは、前記選択情報に従って、前記ＰＭＩによって示される前記プリコーディング行列内の行列要素を選択し、前記選択された行列要素を用いることによって、前記第１のネットワークデバイスと通信するのに用いられるプリコーディング行列を生成するように特に構成される、請求項５３に記載の送信デバイス。
【発明の詳細な説明】
【技術分野】
【０００１】
本発明は、無線通信技術の分野に関し、特に、チャネル状態情報を送信するための方法及びデバイスに関する。
【背景技術】
【０００２】
セルユーザの総スループットレート及び平均スループットレートを更に改善するために、４Ｇ（Ｔｈｅ  Ｆｏｕｒｔｈ  Ｇｅｎｅｒａｔｉｏｎ，第４世代）モバイル通信システムの進化型無線インタフェース技術が特に研究されている。ダイナミック３次元ビームフォーミング技術等の３Ｄマルチアンテナ技術は、セルエッジユーザのスループットレート、並びにセルユーザの総スループットレート及び平均スループットレートを改善するための主要な技術であり、業界の多くの注目を集めている。
【０００３】
セルラシステムでは、基地局のアンテナアレイは通常、水平かつ線形に配置される。基地局の送信端は、ビームを水平次元においてのみ調整することができ、ユーザごとのビームは垂直次元において固定の下方向の傾斜を有する。したがって、様々なビームフォーミング／プリコーディング技術等は、水平次元におけるチャネル情報に基づいて実施される。実際、無線信号は空間において三次元に伝播するため、下方向の傾斜が固定された方法は、システム性能を最適化することができない。垂直次元におけるビーム調整は、システム性能の改善のために非常に重要である。
【０００４】
アンテナ技術の開発とともに、各アレイ要素を独立して制御することができるアクティブアンテナが既に業界に登場している。アクティブなアンテナアレイは、垂直次元においてビームを動的に調整することを可能にする。通常、３次元ビームフォーミング／プリコーディングを実施することは、ユーザ機器によって報告されるチャネル状態情報に依拠する必要がある。
【０００５】
特に、ユーザ機器は、水平次元におけるアクティブアンテナアレイのチャネル状態情報、及び垂直次元におけるアクティブアンテナアレイのチャネル状態情報を、異なる基準信号を測定することによって別個に決定し、水平次元におけるチャネル状態情報及び垂直次元におけるチャネル状態情報を基地局に報告し、それによって、基地局は、受信した水平次元におけるチャネル状態情報及び受信した垂直次元におけるチャネル状態情報に従ってアンテナアレイ全体のチャネル状態情報を決定する。
【０００６】
ユーザ機器が異なる次元においてチャネル状態情報を測定するとき、次元ごとに、その次元におけるチャネル状態情報のみが測定において検討され、他の次元におけるチャネル状態情報は包括的に検討されない。結果として、別個にかつ独立して報告される、水平次元におけるチャネル状態情報及び垂直次元におけるチャネル状態情報におけるプリコーディング行列を合成することによって得られる、アンテナアレイ全体のプリコーディング行列の階数又は次元が、アンテナアレイ全体の実際のチャネルを測定することによって得られる階数と大きく異なり、合成されたプリコーディング行列が不正確になる。
【発明の概要】
【発明が解決しようとする課題】
【０００７】
本発明の実施形態は、プリコーディング行列のコードブック次元が不正確であることに起因して、現在のところ、決定されるプリコーディング行列の精度が比較的低いという問題を解決するのに用いられる、チャネル状態情報を送信するための方法及びデバイスを提供する。
【課題を解決するための手段】
【０００８】
本発明の第１の態様によれば、チャネル状態情報を送信するための方法が提供され、本方法は、
第１のネットワークデバイスが、第２のネットワークデバイスによって送信される基準信号の測定に従ってチャネル状態情報を決定するステップであって、チャネル状態情報は、プリコーディング行列インジケーションＰＭＩと、ＰＭＩによって示されるプリコーディング行列内の行列要素を選択するように命令するのに用いられる選択情報とを含む、ステップと、
チャネル状態情報を第２のネットワークデバイスに送信するステップと、
を含む。
【０００９】
本発明の第１の態様の実施方式を参照して、第１の可能な実施方式では、ダブルコードブック構造の場合、ＰＭＩによって示されるプリコーディング行列は、２つのサブＰＭＩによってそれぞれ示されるプリコーディング行列を合成することによって得られる。
【００１０】
本発明の第１の態様の実施方式を参照して、第２の可能な実施方式では、チャネル状態情報は、少なくとも２つのＰＭＩに関する情報を含む。
【００１１】
本発明の第１の態様の実施方式、又は本発明の第１の態様の第２の可能な実施方式を参照して、第３の可能な実施方式では、チャネル状態情報は、少なくとも２つのＰＭＩによって示されるプリコーディング行列内の行列要素を選択するための選択情報を含む。
【００１２】
本発明の第１の態様の第２の可能な実施方式を参照して、第４の可能な実施方式では、少なくとも２つのＰＭＩに関する情報は、異なる基準信号の構成情報に従った測定によって得られる。
【００１３】
本発明の第１の態様の第２の可能な実施方式を参照して、第５の可能な実施方式では、少なくとも２つのＰＭＩに関する情報は、異なるチャネル状態情報プロセスＣＳＩ  ｐｒｏｃｅｓｓの構成情報に従った測定によって得られる。
【００１４】
本発明の第１の態様の実施方式、本発明の第１の態様の第２の可能な実施方式、本発明の第１の態様の第３の可能な実施方式、本発明の第１の態様の第４の可能な実施方式、又は本発明の第１の態様の第５の可能な実施方式を参照して、第６の可能な実施方式では、ＰＭＩによって示されるプリコーディング行列内の行列要素を選択するように命令するのに用いられる選択情報は、列選択情報及び行選択情報を含む。
【００１５】
本発明の第１の態様の実施方式、本発明の第１の態様の第２の可能な実施方式、本発明の第１の態様の第３の可能な実施方式、本発明の第１の態様の第４の可能な実施方式、本発明の第１の態様の第５の可能な実施方式、又は本発明の第１の態様の第６の可能な実施方式を参照して、第７の可能な実施方式では、チャネル状態情報が少なくとも２つのＰＭＩを含むとき、少なくとも２つのＰＭＩによってそれぞれ示されるプリコーディング行列内の行列要素に対する列選択を実行するように命令するのに用いられる列の量の積は、第１の数値以下である
【００１６】
本発明の第１の態様の実施方式、本発明の第１の態様の第２の可能な実施方式、本発明の第１の態様の第３の可能な実施方式、本発明の第１の態様の第４の可能な実施方式、本発明の第１の態様の第５の可能な実施方式、又は本発明の第１の態様の第６の可能な実施方式を参照して、第８の可能な実施方式では、チャネル状態情報が少なくとも２つのＰＭＩを含むとき、少なくとも２つのＰＭＩによってそれぞれ示されるプリコーディング行列内の行列要素に対する列選択を実行するように命令するのに用いられる列の量の積は、第１の数値以上である。
【００１７】
本発明の第１の態様の第７の可能な実施方式、又は本発明の第１の態様の第８の可能な実施方式を参照して、第９の可能な実施方式では、第１の数値は、第１のネットワークデバイスによって報告される第１の階数インジケーションＲＩであるか、又は第１の数値は、第２のネットワークデバイスによって構成される第１のＲＩである。
【００１８】
本発明の第１の態様の第７の可能な実施方式、又は本発明の第１の態様の第８の可能な実施方式を参照して、第１０の可能な実施方式では、第１の数値は、第１のネットワークデバイスの受信アンテナの量と、第２のネットワークデバイスの送信アンテナの量とのうちの小さい方である。
【００１９】
本発明の第１の態様の実施方式、本発明の第１の態様の第２の可能な実施方式、本発明の第１の態様の第３の可能な実施方式、本発明の第１の態様の第４の可能な実施方式、本発明の第１の態様の第５の可能な実施方式、又は本発明の第１の態様の第６の可能な実施方式を参照して、第１１の可能な実施方式では、チャネル状態情報が少なくとも２つのＰＭＩを含むとき、各ＰＭＩによって示されるプリコーディング行列内の行列要素に対する列選択を実行するように命令するのに用いられる列の量は、第２の数値以下である。
【００２０】
本発明の第１の態様の実施方式、本発明の第１の態様の第２の可能な実施方式、本発明の第１の態様の第３の可能な実施方式、本発明の第１の態様の第４の可能な実施方式、本発明の第１の態様の第５の可能な実施方式、又は本発明の第１の態様の第６の可能な実施方式を参照して、第１２の可能な実施方式では、チャネル状態情報が少なくとも２つのＰＭＩを含むとき、各ＰＭＩによって示されるプリコーディング行列内の行列要素に対する列選択を実行するように命令するのに用いられる列の量は、第２の数値以上である。
【００２１】
本発明の第１の態様の第１１の可能な実施方式、又は本発明の第１の態様の第１２の可能な実施方式を参照して、第１３の可能な実施方式では、第２の数値は、第１のネットワークデバイスによって報告される第２の階数インジケーションＲＩであるか、又は第２の数値は、第２のネットワークデバイスによって構成される第２のＲＩである。
【００２２】
本発明の第１の態様の第１１の可能な実施方式、又は本発明の第１の態様の第１２の可能な実施方式を参照して、第１４の可能な実施方式では、第２の数値は、第１のネットワークデバイスの受信アンテナの量と、第２のネットワークデバイスの送信アンテナの量とのうちの小さい方である。
【００２３】
本発明の第１の態様の第１１の可能な実施方式、本発明の第１の態様の第１２の可能な実施方式、本発明の第１の態様の第１３の可能な実施方式、又は本発明の第１の態様の第１４の可能な実施方式を参照して、第１５の可能な実施方式では、異なるＰＭＩによって示されるプリコーディング行列について、第１のネットワークデバイスは、プリコーディング行列の各々における行列要素に対する列選択を実行するための第３の数値を別個に決定する。
【００２４】
本発明の第１の態様の第１５の可能な実施方式を参照して、第１６の可能な実施方式では、第３の数値は、第１のネットワークデバイスによって報告される第３の階数インジケーションＲＩであるか、又は第３の数値は、第２のネットワークデバイスによって構成される第３のＲＩである。
【００２５】
本発明の第１の態様の実施方式、本発明の第１の態様の第２の可能な実施方式、本発明の第１の態様の第３の可能な実施方式、本発明の第１の態様の第４の可能な実施方式、本発明の第１の態様の第５の可能な実施方式、本発明の第１の態様の第６の可能な実施方式、本発明の第１の態様の第７の可能な実施方式、本発明の第１の態様の第８の可能な実施方式、本発明の第１の態様の第９の可能な実施方式、本発明の第１の態様の第１０の可能な実施方式、本発明の第１の態様の第１１の可能な実施方式、本発明の第１の態様の第１２の可能な実施方式、本発明の第１の態様の第１３の可能な実施方式、本発明の第１の態様の第１４の可能な実施方式、本発明の第１の態様の第１５の可能な実施方式、又は本発明の第１の態様の第１６の可能な実施方式を参照して、第１７の可能な実施方式では、列選択情報はビットマップ信号伝達フォーマットである。
【００２６】
本発明の第１の態様の実施方式、本発明の第１の態様の第２の可能な実施方式、本発明の第１の態様の第３の可能な実施方式、本発明の第１の態様の第４の可能な実施方式、本発明の第１の態様の第５の可能な実施方式、本発明の第１の態様の第６の可能な実施方式、本発明の第１の態様の第７の可能な実施方式、本発明の第１の態様の第８の可能な実施方式、本発明の第１の態様の第９の可能な実施方式、本発明の第１の態様の第１０の可能な実施方式、本発明の第１の態様の第１１の可能な実施方式、本発明の第１の態様の第１２の可能な実施方式、本発明の第１の態様の第１３の可能な実施方式、本発明の第１の態様の第１４の可能な実施方式、本発明の第１の態様の第１５の可能な実施方式、本発明の第１の態様の第１６の可能な実施方式、又は本発明の第１の態様の第１７の可能な実施方式を参照して、第１８の可能な実施方式では、少なくとも２つのＰＭＩによって示されるプリコーディング行列に対する列選択を実行するための選択情報のために、独立コーディング方式又は共同コーディング方式が用いられる。
【００２７】
本発明の第１の態様の実施方式を参照して、第１９の可能な実施方式では、チャネル状態情報は、チャネル品質インジケータＣＱＩ情報を更に含み、ＣＱＩ情報は、各ＰＭＩによって示されるプリコーディング行列に従って計算される第１のＣＱＩ及び／又は各ＰＭＩによって示されるプリコーディング行列に対し列選択が実行された後のプリコーディング行列に従って得られる第２のＣＱＩを含む。
【００２８】
本発明の第１の態様の実施方式を参照して、第２０の可能な実施方式では、チャネル状態情報は、チャネル状態情報は、チャネル品質インジケータＣＱＩ情報を更に含み、ＣＱＩ情報は、少なくとも２つのＰＭＩによって示されるプリコーディング行列に対しクロネッカー積を実行することによって得られるプリコーディング行列に従って計算される第３のＣＱＩ、及び／又は少なくとも２つのＰＭＩによって示されるプリコーディング行列に対し列選択が実行された後のプリコーディング行列に対しクロネッカー積を実行することによって得られるプリコーディング行列に従って計算される第４のＣＱＩを更に含む。
【００２９】
本発明の第１の態様の第１９の可能な実施方式、又は本発明の第１の態様の第２０の可能な実施方式を参照して、第２１の可能な実施方式では、第１のネットワークデバイスによって送信されるチャネル状態情報は、
第１のＣＱＩ、又は
第１のＣＱＩ及び第３のＣＱＩ、又は
第３のＣＱＩ及び少なくとも１つの第１のＣＱＩに従って得られた微分値、又は
第１のＣＱＩ及び第２のＣＱＩ、又は
第２のＣＱＩ及び少なくとも１つの第１のＣＱＩに従って得られた微分値、又は
第１のＣＱＩ及び第４のＣＱＩ、又は
第４のＣＱＩ及び少なくとも１つの第１のＣＱＩに従って得られた微分値、又は
第２のＣＱＩ及び第４のＣＱＩ、又は
第２のＣＱＩ、並びに第４のＣＱＩ及び第２のＣＱＩ値に従って得られた微分値、
第２のＣＱＩ及び第３のＣＱＩ、又は
第２のＣＱＩ、並びに第３のＣＱＩ及び第２のＣＱＩ値に従って得られた微分値、又は
第３のＣＱＩ及び第４のＣＱＩ、又は
第３のＣＱＩ、並びに第４のＣＱＩ及び第３のＣＱＩ値に従って得られた微分値、
を更に含む。
【００３０】
本発明の第１の態様の実施方式を参照して、第２２の可能な実施方式では、
第１のネットワークデバイスは端末デバイスであり、第２のネットワークデバイスは基地局デバイスであるか、又は
第１のネットワークデバイスは端末デバイスであり、第２のネットワークデバイスは端末デバイスであるか、又は
第１のネットワークデバイスは基地局デバイスであり、第２のネットワークデバイスは基地局デバイスである。
【００３１】
本発明の第２の態様によれば、チャネル状態情報を送信するための方法が提供され、この方法は、
第２のネットワークデバイスが、第１のネットワークデバイスによって送信されるチャネル状態情報を受信するステップであって、チャネル状態情報は、プリコーディング行列インジケーションＰＭＩと、ＰＭＩによって示されるプリコーディング行列内の行列要素を選択するのに用いられる選択情報とを含むステップと、
チャネル状態情報に従って、第１のネットワークと通信するのに用いられるプリコーディング行列を得るステップと、
を含む。
【００３２】
本発明の第２の態様の実施方式を参照して、第１の可能な実施方式では、チャネル状態情報に従って、第１のネットワークと通信するのに用いられるプリコーディング行列を得るステップは、
第２のネットワークデバイスが、選択情報に従って、ＰＭＩによって示されるプリコーディング行列内の行列要素を選択し、選択された行列要素を用いることによって、第１のネットワークデバイスと通信するのに用いられるプリコーディング行列を生成するステップを含む。
【００３３】
本発明の第２の態様の実施方式を参照して、第２の可能な実施方式では、
ダブルコードブック構造の場合、ＰＭＩによって示されるプリコーディング行列は、２つのサブＰＭＩによってそれぞれ示されるプリコーディング行列を合成することによって得られる。
【００３４】
本発明の第２の態様の実施方式を参照して、第３の可能な実施方式では、チャネル状態情報は、少なくとも２つのＰＭＩに関する情報を含む。
【００３５】
本発明の第２の態様の実施方式、又は本発明の第２の態様の第３の可能な実施方式を参照して、第４の可能な実施方式では、チャネル状態情報は、少なくとも２つのＰＭＩによって示されるプリコーディング行列内の行列要素を選択するための選択情報を含む。
【００３６】
本発明の第２の態様の第３の可能な実施方式を参照して、第５の可能な実施方式では、少なくとも２つのＰＭＩに関する情報は、異なる基準信号の構成情報に従った測定によって得られる。
【００３７】
本発明の第２の態様の第３の可能な実施方式を参照して、第６の可能な実施方式では、少なくとも２つのＰＭＩに関する情報は、異なるチャネル状態情報プロセスＣＳＩ  ｐｒｏｃｅｓｓの構成情報に従った測定によって得られる。
【００３８】
本発明の第２の態様の実施方式、本発明の第２の態様の第１の可能な実施方式、本発明の第２の態様の第２の可能な実施方式、本発明の第２の態様の第３の可能な実施方式、又は本発明の第２の態様の第４の可能な実施方式を参照して、第７の可能な実施方式では、ＰＭＩによって示されるプリコーディング行列内の行列要素を選択するように命令するのに用いられる選択情報は、列選択情報及び行選択情報を含む。
【００３９】
本発明の第２の態様の実施方式、本発明の第２の態様の第１の可能な実施方式、本発明の第２の態様の第２の可能な実施方式、本発明の第２の態様の第３の可能な実施方式、本発明の第２の態様の第４の可能な実施方式、本発明の第２の態様の第５の可能な実施方式、本発明の第２の態様の第６の可能な実施方式、又は本発明の第２の態様の第７の可能な実施方式を参照して、第８の可能な実施方式では、チャネル状態情報が少なくとも２つのＰＭＩを含むとき、少なくとも２つのＰＭＩによってそれぞれ示されるプリコーディング行列内の行列要素に対する列選択を実行するように命令するのに用いられる列の量の積は、第１の数値以下である。
【００４０】
本発明の第２の態様の実施方式、本発明の第２の態様の第１の可能な実施方式、本発明の第２の態様の第２の可能な実施方式、本発明の第２の態様の第３の可能な実施方式、本発明の第２の態様の第４の可能な実施方式、本発明の第２の態様の第５の可能な実施方式、本発明の第２の態様の第６の可能な実施方式、又は本発明の第２の態様の第７の可能な実施方式を参照して、第９の可能な実施方式では、チャネル状態情報が少なくとも２つのＰＭＩを含むとき、少なくとも２つのＰＭＩによってそれぞれ示されるプリコーディング行列内の行列要素に対する列選択を実行するように命令するのに用いられる列の量の積は、第１の数値以上である。
【００４１】
本発明の第２の態様の第８の可能な実施方式、又は本発明の第２の態様の第９の可能な実施方式を参照して、第１０の可能な実施方式では、第１の数値は、第１のネットワークデバイスによって報告される第１の階数インジケーションＲＩであるか、又は第１の数値は、第２のネットワークデバイスによって構成される第１のＲＩである。
【００４２】
本発明の第２の態様の第８の可能な実施方式、又は本発明の第２の態様の第９の可能な実施方式を参照して、第１１の可能な実施方式では、第１の数値は、第１のネットワークデバイスの受信アンテナの量と、第２のネットワークデバイスの送信アンテナの量とのうちの小さい方である。
【００４３】
本発明の第２の態様の実施方式、本発明の第２の態様の第１の可能な実施方式、本発明の第２の態様の第２の可能な実施方式、本発明の第２の態様の第３の可能な実施方式、本発明の第２の態様の第４の可能な実施方式、本発明の第２の態様の第５の可能な実施方式、本発明の第２の態様の第６の可能な実施方式、又は本発明の第２の態様の第７の可能な実施方式を参照して、第１２の可能な実施方式では、チャネル状態情報が少なくとも２つのＰＭＩを含むとき、各ＰＭＩによって示されるプリコーディング行列内の行列要素に対する列選択を実行するように命令するのに用いられる列の量は、第２の数値以下である。
【００４４】
本発明の第２の態様の実施方式、本発明の第２の態様の第１の可能な実施方式、本発明の第２の態様の第２の可能な実施方式、本発明の第２の態様の第３の可能な実施方式、本発明の第２の態様の第４の可能な実施方式、本発明の第２の態様の第５の可能な実施方式、本発明の第２の態様の第６の可能な実施方式、又は本発明の第２の態様の第７の可能な実施方式を参照して、第１３の可能な実施方式では、チャネル状態情報が少なくとも２つのＰＭＩを含むとき、各ＰＭＩによって示されるプリコーディング行列内の行列要素に対する列選択を実行するように命令するのに用いられる列の量は、第２の数値以上である。
【００４５】
本発明の第２の態様の第１２の可能な実施方式、又は本発明の第２の態様の第１３の可能な実施方式を参照して、第１４の可能な実施方式では、第２の数値は、第１のネットワークデバイスによって報告される第２の階数インジケーションＲＩであるか、又は第２の数値は、第２のネットワークデバイスによって構成される第２のＲＩである。
【００４６】
本発明の第２の態様の第１２の可能な実施方式、又は本発明の第２の態様の第１３の可能な実施方式を参照して、第１５の可能な実施方式では、第２の数値は、第１のネットワークデバイスの受信アンテナの量と、第２のネットワークデバイスの送信アンテナの量とのうちの小さい方である。
【００４７】
本発明の第２の態様の第１２の可能な実施方式、本発明の第２の態様の第１３の可能な実施方式、本発明の第２の態様の第１４の可能な実施方式、又は本発明の第２の態様の第１５の可能な実施方式を参照して、第１６の可能な実施方式では、異なるＰＭＩによって示されるプリコーディング行列について、第１のネットワークデバイスは、プリコーディング行列の各々における行列要素に対する列選択を実行するための第３の数値を別個に決定する。
【００４８】
本発明の第２の態様の第１６の可能な実施方式を参照して、第１７の可能な実施方式では、第３の数値は、第１のネットワークデバイスによって報告される第３の階数インジケーションＲＩであるか、又は第３の数値は、第２のネットワークデバイスによって構成される第３のＲＩである。
【００４９】
本発明の第２の態様の実施方式、本発明の第２の態様の第１の可能な実施方式、本発明の第２の態様の第２の可能な実施方式、本発明の第２の態様の第３の可能な実施方式、本発明の第２の態様の第４の可能な実施方式、本発明の第２の態様の第５の可能な実施方式、本発明の第２の態様の第６の可能な実施方式、本発明の第２の態様の第７の可能な実施方式、本発明の第２の態様の第８の可能な実施方式、本発明の第２の態様の第９の可能な実施方式、本発明の第２の態様の第１０の可能な実施方式、本発明の第２の態様の第１１の可能な実施方式、本発明の第２の態様の第１２の可能な実施方式、本発明の第２の態様の第１３の可能な実施方式、本発明の第２の態様の第１４の可能な実施方式、本発明の第２の態様の第１５の可能な実施方式、本発明の第２の態様の第１６の可能な実施方式、又は本発明の第２の態様の第１７の可能な実施方式を参照して、第１８の可能な実施方式では、列選択情報はビットマップ信号伝達フォーマットである。
【００５０】
本発明の第２の態様の実施方式、本発明の第２の態様の第１の可能な実施方式、本発明の第２の態様の第２の可能な実施方式、本発明の第２の態様の第３の可能な実施方式、本発明の第２の態様の第４の可能な実施方式、本発明の第２の態様の第５の可能な実施方式、本発明の第２の態様の第６の可能な実施方式、本発明の第２の態様の第７の可能な実施方式、本発明の第２の態様の第８の可能な実施方式、本発明の第２の態様の第９の可能な実施方式、本発明の第２の態様の第１０の可能な実施方式、本発明の第２の態様の第１１の可能な実施方式、本発明の第２の態様の第１２の可能な実施方式、本発明の第２の態様の第１３の可能な実施方式、本発明の第２の態様の第１４の可能な実施方式、本発明の第２の態様の第１５の可能な実施方式、本発明の第２の態様の第１６の可能な実施方式、本発明の第２の態様の第１７の可能な実施方式、又は本発明の第２の態様の第１８の可能な実施方式を参照して、第１９の可能な実施方式では、少なくとも２つのＰＭＩによって示されるプリコーディング行列に対する列選択を実行するための選択情報のために、独立コーディング方式又は共同コーディング方式が用いられる。
【００５１】
本発明の第２の態様の実施方式を参照して、第２０の可能な実施方式では、チャネル状態情報は、チャネル品質インジケータＣＱＩ情報を更に含み、ＣＱＩ情報は、各ＰＭＩによって示されるプリコーディング行列に従って計算される第１のＣＱＩ及び／又は各ＰＭＩによって示されるプリコーディング行列に対し列選択が実行された後のプリコーディング行列に従って得られる第２のＣＱＩを含む。
【００５２】
本発明の第２の態様の実施方式を参照して、第２１の可能な実施方式では、チャネル状態情報は、チャネル品質インジケータＣＱＩ情報を更に含み、ＣＱＩ情報は、少なくとも２つのＰＭＩによって示されるプリコーディング行列に対しクロネッカー積を実行することによって得られるプリコーディング行列に従って計算される第３のＣＱＩ、及び／又は少なくとも２つのＰＭＩによって示されるプリコーディング行列に対し列選択が実行された後のプリコーディング行列に対しクロネッカー積を実行することによって得られるプリコーディング行列に従って計算される第４のＣＱＩを更に含む。
【００５３】
本発明の第２の態様の第２０の可能な実施方式、又は本発明の第２の態様の第２１の可能な実施方式を参照して、第２２の可能な実施方式では、第２のネットワークデバイスによって受信されるチャネル状態情報は、
第１のＣＱＩ、又は
第１のＣＱＩ及び第３のＣＱＩ、又は
第３のＣＱＩ及び少なくとも１つの第１のＣＱＩに従って得られた微分値、又は
第１のＣＱＩ及び第２のＣＱＩ、又は
第２のＣＱＩ及び少なくとも１つの第１のＣＱＩに従って得られた微分値、又は
第１のＣＱＩ及び第４のＣＱＩ、又は
第４のＣＱＩ及び少なくとも１つの第１のＣＱＩに従って得られた微分値、又は
第２のＣＱＩ及び第４のＣＱＩ、又は
第２のＣＱＩ、並びに第４のＣＱＩ及び第２のＣＱＩ値に従って得られた微分値、
第２のＣＱＩ及び第３のＣＱＩ、又は
第２のＣＱＩ、並びに第３のＣＱＩ及び第２のＣＱＩ値に従って得られた微分値、又は
第３のＣＱＩ及び第４のＣＱＩ、又は
第３のＣＱＩ、並びに第４のＣＱＩ及び第３のＣＱＩ値に従って得られた微分値、
を更に含む。
【００５４】
第３の態様によれば、チャネル状態情報を送信するためのデバイスが提供され、このデバイスは、
第２のネットワークデバイスによって送信される基準信号の測定に従ってチャネル状態情報を決定するように構成される決定モジュールであって、チャネル状態情報は、プリコーディング行列インジケーションＰＭＩと、ＰＭＩによって示されるプリコーディング行列内の行列要素を選択するように命令するのに用いられる選択情報とを含む、決定モジュールと、
チャネル状態情報を第２のネットワークデバイスに送信するように構成される送信モジュールと、
を備える。
【００５５】
本発明の第３の態様の実施方式を参照して、第１の可能な実施方式では、送信デバイスは端末デバイス又は基地局デバイスである。
【００５６】
第４の態様によれば、チャネル状態情報を送信するためのデバイスが提供され、このデバイスは、
第１のネットワークデバイスによって送信されるチャネル状態情報を受信するように構成される受信モジュールであって、チャネル状態情報は、プリコーディング行列インジケーションＰＭＩと、ＰＭＩによって示されるプリコーディング行列内の行列要素を選択するのに用いられる選択情報とを含む、受信モジュールと、
チャネル状態情報に従って、第１のネットワークデバイスと通信するのに用いられるプリコーディング行列を得るように構成される、送信モジュールと、
を備える。
【００５７】
本発明の第４の実施方式を参照して、第１の可能な実施方式では、送信モジュールは、選択情報に従って、ＰＭＩによって示されるプリコーディング行列内の行列要素を選択し、選択された行列要素を用いることによって、第１のネットワークデバイスと通信するのに用いられるプリコーディング行列を生成するように特に構成される。
【００５８】
第５の態様によれば、チャネル状態情報を送信するためのデバイスが提供され、このデバイスは、
第２のネットワークデバイスによって送信される基準信号の測定に従ってチャネル状態情報を決定するように構成されるプロセッサであって、チャネル状態情報は、プリコーディング行列インジケーションＰＭＩと、ＰＭＩによって示されるプリコーディング行列内の行列要素を選択するように命令するのに用いられる選択情報とを含む、プロセッサと、
チャネル状態情報を第２のネットワークデバイスに送信するように構成される信号送信機と、
を備える。
【００５９】
本発明の第５の態様の実施方式を参照して、第１の可能な実施方式では、送信デバイスは端末デバイス又は基地局デバイスである。
【００６０】
第６の態様によれば、チャネル状態情報を送信するためのデバイスが提供され、このデバイスは、
第１のネットワークデバイスによって送信されるチャネル状態情報を受信するように構成される信号受信機であって、チャネル状態情報は、プリコーディング行列インジケーションＰＭＩと、ＰＭＩによって示されるプリコーディング行列内の行列要素を選択するのに用いられる選択情報とを含む、信号受信機と、
チャネル状態情報に従って、第１のネットワークデバイスと通信するのに用いられるプリコーディング行列を得るように構成される、プロセッサと、
を備える。
【００６１】
本発明の第６の態様の実施方式を参照して、第１の可能な実施方式では、プロセッサは、選択情報に従って、ＰＭＩによって示されるプリコーディング行列内の行列要素を選択し、選択された行列要素を用いることによって、第１のネットワークデバイスと通信するのに用いられるプリコーディング行列を生成するように特に構成される。
【００６２】
本発明の有利な効果は以下の通りである。
【００６３】
本発明の実施形態において、第１のネットワークデバイスが、第２のネットワークデバイスによって送信される基準信号の測定に従ってチャネル状態情報を決定し、チャネル状態情報は、プリコーディング行列インジケーションＰＭＩと、ＰＭＩによって示されるプリコーディング行列内の行列要素を選択するように命令するのに用いられる選択情報とを含み、そして第１のネットワークデバイスは、チャネル状態情報を第２のネットワークデバイスに送信する。チャネル状態情報は、第２のネットワークデバイスにプリコーディングを実行するように命令するのに用いられるプリコーディング行列インジケーションＰＭＩと、ＰＭＩによって示されるプリコーディング行列内の行列要素を選択するように命令するのに用いられる選択情報とを含むので、第２のネットワークデバイスは、行列要素のための選択情報に従って、プリコーディングを実行するためのプリコーディング行列を決定し、２次元アンテナに適用可能なチャネルプリコーディング行列を合成することができる。したがって、合成されたプリコーディング行列の次元は、実際のチャネルの空間特徴により近く、これによって、プリコーディング行列の精度が効果的に改善する。
【図面の簡単な説明】
【００６４】
【図１】本発明の実施形態１によるチャネル状態情報を送信するための方法の概略フローチャートである。
【図２】本発明の実施形態３によるチャネル状態情報を送信するための方法の概略フローチャートである。
【図３】本発明の実施形態４によるチャネル状態情報を送信するためのデバイスの構造の概略図である。
【図４】本発明の実施形態５によるチャネル状態情報を送信するためのデバイスの構造の概略図である。
【図５】本発明の実施形態６によるチャネル状態情報を送信するためのデバイスの構造の概略図である。
【図６】本発明の実施形態７によるチャネル状態情報を送信するためのデバイスの構造の概略図である。
【発明を実施するための形態】
【００６５】
本発明の目的を達成するために、本発明の実施形態は、チャネル状態情報を送信するための方法及びデバイスを提供する。第１のネットワークデバイスが、第２のネットワークデバイスによって送信される基準信号の測定に従って、プリコーディング行列インジケーションＰＭＩと、ＰＭＩによって示されるプリコーディング行列内の行列要素を選択するように命令するのに用いられる選択情報とを含むチャネル状態情報を決定し、このチャネル状態情報を第２のネットワークデバイスに送信する。チャネル状態情報は、第２のネットワークデバイスに、プリコーディングを実行するように命令するのに用いられるプリコーディング行列インジケーションＰＭＩと、ＰＭＩによって示されるプリコーディング行列内の行列要素を選択するように命令するのに用いられる選択情報とを含むので、第２のネットワークデバイスは、行列要素のための選択情報に従って、プリコーディングを実行するためのプリコーディング行列を決定し、２次元アンテナに適用可能なチャネルプリコーディング行列を合成することができる。したがって、合成されたプリコーディング行列の次元は、実際のチャネルの空間特徴により近く、これによって、プリコーディング行列の精度が効果的に改善する。
【００６６】
以下において、本明細書における添付の図面を参照して本発明の実施形態を詳細に説明する。
【００６７】
実施形態１
図１は、本発明の実施形態１によるチャネル状態情報を送信するための方法の概略フローチャートである。本方法は以下のように説明することができる。
【００６８】
ステップ１０１：第１のネットワークデバイスが、第２のネットワークデバイスによって送信される基準信号の測定に従ってチャネル状態情報を決定する。
【００６９】
チャネル状態情報は、プリコーディング行列インジケーションＰＭＩと、ＰＭＩによって示されるプリコーディング行列内の行列要素を選択するように命令するのに用いられる選択情報とを含む。
【００７０】
選択情報は、バイナリコードシーケンスであってもよく、別の方式で表されてもよく、これは本明細書において限定されない。
【００７１】
選択情報がバイナリコードシーケンスであるとき、このバイナリコードシーケンスの長さ値は、ＰＭＩによって示されるプリコーディング行列の列の量（階数値）である。
【００７２】
特に、バイナリコードシーケンスにおける「１」が、プリコーディング行列における選択された行列要素の列ラベルを示すのに用いられ、バイナリコードシーケンスにおける「０」が、プリコーディング行列における選択されていない行列要素の列ラベルを示すのに用いられるか、又は、バイナリコードシーケンスにおける「０」が、プリコーディング行列における選択された行列要素の列ラベルを示すのに用いられ、バイナリコードシーケンスにおける「１」が、プリコーディング行列における選択されていない行列要素の列ラベルを示すのに用いられる。
【００７３】
ＰＭＩによって示されるプリコーディング行列における行列要素を選択するように命令するのに用いられる選択情報は、列選択要素及び行選択要素を含むことに留意するべきである。
【００７４】
ステップ１０１において、ダブルコードブック構造の場合、ＰＭＩによって示されるプリコーディング行列は、２つのサブＰＭＩによってそれぞれ示されるプリコーディング行列を合成することによって、例えばＷ＝Ｗ１＊Ｗ２によって得られる。本明細書における合成は従来技術に属し、ＬＴＥプロトコルに記載されているため、詳細に説明されない。
【００７５】
チャネル状態情報は、少なくとも２つのＰＭＩ情報を含んでもよく、１つのＰＭＩ情報を含んでもよく、これは本明細書において限定されない。
【００７６】
チャネル状態情報は、少なくとも１つのＰＭＩによって示されるプリコーディング行列内の行列要素を選択するための選択情報を含む。
【００７７】
すなわち、ＰＭＩによって示されるプリコーディング行列の量は、列選択を実行するためのプリコーディング行列の量と同じであってもよく、異なっていてもよい。
【００７８】
例えば、２つのプリコーディング行列が示されることを示す２つのＰＭＩインジケーション情報が存在する。この場合、２つのＰＭＩによって示される２つのプリコーディング行列のうちの一方のプリコーディング行列内の行列要素が選択されることを示す、ＰＭＩによって示されるプリコーディング行列内の行列要素を選択するのに用いられる１つの選択情報が存在する場合があり、また、２つのＰＭＩによって示される２つのプリコーディング行列内の行列要素が選択されることを示す、ＰＭＩによって示されるプリコーディング内の行列要素を選択するのに用いられる２つの選択情報が存在する場合もある。
【００７９】
本発明の別の実施方式では、少なくとも２つのＰＭＩに関する情報は、異なる基準信号の構成情報に従った測定によって得られるか、又は少なくとも２つのＰＭＩに関する情報は、異なるチャネル状態情報プロセスＣＳＩ  ｐｒｏｃｅｓｓの構成情報に従った測定によって得られる。
【００８０】
選択情報は、以下の方式で決定することができ、決定方式は以下の方式に限定されない。
【００８１】
方式１
チャネル状態情報が少なくとも２つのＰＭＩを含むとき、少なくとも２つのＰＭＩによってそれぞれ示されるプリコーディング行列内の行列要素に対する列選択を実行するように命令するのに用いられる列の量の積は、第１の数値以下である。
【００８２】
第１の数値は、第１のネットワークデバイスによって報告される第１の階数インジケーションＲＩであるか、又は第１の数値は、第２のネットワークデバイスによって構成される第１のＲＩである。
【００８３】
本発明の別の実施方式において、第１の数値は、第１のネットワークデバイスの受信アンテナの量と、第２のネットワークデバイスの送信アンテナの量とのうちの小さい方である。
【００８４】
例えば、アクティブアンテナシステム（ＡＡＳ，Ａｄａｐｔｉｖｅ  Ａｎｔｅｎｎａ  Ｓｙｓｔｅｍ）には、水平次元におけるアンテナのみでなく、垂直次元におけるアンテナ次元も存在する。
【００８５】
端末デバイスが基地局デバイスによって送信される２つの基準信号を測定するとき、一方の基準信号は水平次元におけるアンテナに対応し、他方の基準信号は垂直次元におけるアンテナに対応する。この場合、水平次元におけるチャネルに加えて、端末デバイスは垂直次元におけるチャネルも測定することができる。
【００８６】
異なる次元における基準信号を測定することによって、水平次元におけるアンテナのチャネルのプリコーディング行列が得られ、水平プリコーディング行列と呼ばれる場合もあれば、第１のプリコーディング行列と呼ばれる場合もあれば、第２のプリコーディング行列と呼ばれる場合もあり、これは本明細書において限定されない。垂直次元におけるアンテナのチャネルのプリコーディング行列を更に得ることができ、このプリコーディング行列は、垂直プリコーディング行列と呼ばれる場合もあれば、第２のプリコーディング行列と呼ばれる場合もあれば、第１のプリコーディング行列と呼ばれる場合もあり、これは本明細書において限定されない。
【００８７】
チャネル状態情報は２つのＰＭＩを含むことができ、ここで、一方のＰＭＩによって示されるプリコーディング行列は水平次元におけるプリコーディング行列であり、他方のＰＭＩによって示されるプリコーディング行列は垂直次元におけるプリコーディング行列である。
【００８８】
これに応じて、ＰＭＩによって示されるプリコーディング行列内の行列要素を選択するように命令するのに用いられる選択情報は以下の通りであり、
選択情報は、水平プリコーディング行列内の行列要素から列要素を選択するのに用いられる第１の列選択情報を含み、かつ／又は垂直プリコーディング行列内の行列要素から列要素を選択するのに用いられる第２の列選択情報を含む。
【００８９】
更に、第１の列選択情報に含まれる選択された列要素の量と、第２の列選択情報に含まれる選択された列要素の量との積は、第１の数値以下である。
【００９０】
第１の数値は、受信端によって決定される第１のＲＩであるか、又は第１の数値は送信端によって構成される第１のＲＩである。
【００９１】
特に、第１の数値は、受信端の受信アンテナの量と、送信端の送信アンテナの量とのうちの小さな方であり、この理由は、２Ｄアンテナアレイのチャネルの階数が、受信端の受信アンテナの量と、送信端の送信アンテナの量とうちの小さな方を超えることは不可能であるためである。
【００９２】
代替的に、第１の数値は受信端によって決定される第１のＲＩの第１の数値であり、第１のＲＩは、アンテナアレイ全体が基準信号にマッピングされ、受信端が基準信号を測定した後に得られる第１のＲＩとすることができ、第１のＲＩは、基本的に、２Ｄアンテナアレイの実際のチャネル特徴を反映することができ、合成されたプリコーディング行列の階数は第１のＲＩを超えることができない。
【００９３】
ＰＭＩによって示されるプリコーディング行列内の行列要素を選択するように命令するのに用いられる選択情報を決定することは、第１の数値に従って制約されることがわかる。したがって、得られるプリコーディング行列は比較的高い精度を有し、これは効果的には、データストリームが最大限まで送信されることを確実にし、ネットワークシステムのデータ送信レートを改善する。
【００９４】
オプションで、チャネル状態情報が少なくとも２つのＰＭＩを含むとき、少なくとも２つのＰＭＩによってそれぞれ示されるプリコーディング行列内の行列要素に対する列選択を実行するように命令するのに用いられる列の量の積は、第１の数値以上である。
【００９５】
第１の数値は、第１のネットワークデバイスによって報告される第１の階数インジケーションＲＩであるか、又は第１の数値は、第２のネットワークによって構成される第１のＲＩである。
【００９６】
更に、第１の数値は、第１のネットワークデバイスの受信アンテナの量と、第２のネットワークデバイスの送信アンテナの量とのうちの小さい方である。
【００９７】
方式２
チャネル状態情報が少なくとも２つのＰＭＩを含むとき、少なくとも２つのＰＭＩによってそれぞれ示されるプリコーディング行列内の行列要素に対する列選択を実行するように命令するのに用いられる列の量は、第２の数値以下である。
【００９８】
ここで、ＰＭＩによって示されるプリコーディング行列内の行列要素に対する列選択を実行するのに用いられる列の量は独自に制限されており、これは方式１とは異なる。
【００９９】
異なるＰＭＩによって示されるプリコーディング行列に対する列選択を実行するための第２の数値は、異なることができ、独立して構成することができる。
【０１００】
同様に、チャネル状態情報が少なくとも２つのＰＭＩを含むとき、少なくとも２つのＰＭＩによってそれぞれ示されるプリコーディング行列内の行列要素に対する列選択を実行するように命令するのに用いられる列の量は、第２の数値以上である。
【０１０１】
第２の数値は、第１のネットワークデバイスによって報告される第２の階数インジケーションＲＩであるか、又は第２の数値は、第２のネットワークデバイスによって構成される第２のＲＩである。
【０１０２】
更に、第２の数値は、第１のネットワークデバイスの受信アンテナの量と、第２のネットワークデバイスの送信アンテナの量とのうちの小さい方である。
【０１０３】
例えば、上記の水平プリコーディング行列及び垂直プリコーディング行列は依然として例として用いられ、選択情報は、水平プリコーディング行列内の行列要素から列要素を選択するのに用いられる第１の列選択情報、及び／又は垂直プリコーディング行列内の行列要素から列要素を選択するのに用いられる第２の列選択情報を含む。
【０１０４】
第１の列選択情報に含まれる選択された列要素の量、及び第２の列選択情報に含まれる選択された列要素の量はそれぞれ、第２の数値以下である。
【０１０５】
更に、第１の列選択情報に含まれる選択された列要素の量、及び第２の列選択情報に含まれる選択された列要素の量はそれぞれ、第２の数値以上である。
【０１０６】
第２の数値は、第１のネットワークデバイスによって報告される第２の階数インジケーションＲＩであるか、又は第２の数値は、第２のネットワークデバイスによって構成される第２のＲＩである。
【０１０７】
更に、第２の数値は、第１のネットワークデバイスの受信アンテナの量と、第２のネットワークデバイスの送信アンテナの量とのうちの小さい方である。
【０１０８】
方式３
異なるＰＭＩによって示されるプリコーディング行列について、第１のネットワークデバイスは、プリコーディング行列の各々における行列要素に対する列選択を実行するための第３の数値を別個に決定する。
【０１０９】
第３の数値は、第１のネットワークデバイスによって報告される第３の階数インジケーションＲＩであるか、又は第３の数値は、第２のネットワークデバイスによって構成される第３のＲＩである。異なるＰＭＩによって示されるプリコーディング行列に対し列選択を実行するための第３の数値は、異なることができ、独立して構成することができる。
【０１１０】
例えば、上記の水平プリコーディング行列及び垂直プリコーディング行列は依然として例として用いられ、第１のネットワークデバイスは別個に、水平プリコーディング行列内の行列要素に対し列選択を実行するための第１の列選択情報が数値であると判断し、垂直プリコーディング行列内の行列要素に対し列選択を実行するための第２の列選択情報が数値であると判断する。
【０１１１】
数値は、第１のネットワークデバイスによって報告される第３の階数インジケーションＲＩであるか、又は数値は、第２のネットワークデバイスによって構成される第３のＲＩである。
【０１１２】
列選択情報及び行選択情報の双方がビットマップ信号伝達フォーマットをとることができ、信号伝達フォーマットはビットマップ信号伝達フォーマットに限定されないことに留意するべきである。
【０１１３】
少なくとも２つの含まれるＰＭＩが存在するとき、少なくとも２つのＰＭＩによって示されるプリコーディング行列に対する列選択を実行するための選択情報のために、独立コーディング方式又は共同コーディング方式が用いられる。
【０１１４】
上記の方式において、プリコーディング行列が、ＰＭＩによって示されるプリコーディング行列に対し要素選択が実行された後に合成される場合、プリコーディング行列の次元がアンテナアレイ全体のチャネルの空間特徴とより良好に合致し、それによってプリコーディング行列の精度が改善される。
【０１１５】
加えて、チャネル状態情報は、チャネル品質インジケータＣＱＩ情報を更に含む。
【０１１６】
ＣＱＩ情報は、各ＰＭＩによって示されるプリコーディング行列に従って計算される第１のＣＱＩ値及び／又は各ＰＭＩによって示されるプリコーディング行列に対し列選択が実行された後のプリコーディング行列に従って得られる第２のＣＱＩ値を含むことができる。
【０１１７】
ＣＱＩ情報は、少なくとも２つのＰＭＩによって示されるプリコーディング行列に対しクロネッカー積を実行することによって得られるプリコーディング行列に従って計算される第３のＣＱＩ、及び／又は少なくとも２つのＰＭＩによって示されるプリコーディング行列に対し列選択が実行された後のプリコーディング行列に対しクロネッカー積を実行することによって得られるプリコーディング行列に従って計算される第４のＣＱＩを更に含むことができる。
【０１１８】
第１のネットワークデバイスによって送信されるチャネル状態情報は以下を更に含むことに留意するべきである。
第１のＣＱＩ、又は
第１のＣＱＩ及び第３のＣＱＩ、又は
第３のＣＱＩ及び少なくとも１つの第１のＣＱＩに従って得られた微分値、又は
第１のＣＱＩ及び第２のＣＱＩ、又は
第２のＣＱＩ及び少なくとも１つの第１のＣＱＩに従って得られた微分値、又は
第１のＣＱＩ及び第４のＣＱＩ、又は
第４のＣＱＩ及び少なくとも１つの第１のＣＱＩに従って得られた微分値、又は
第２のＣＱＩ及び第４のＣＱＩ、又は
第２のＣＱＩ、並びに第４のＣＱＩ及び第２のＣＱＩ値に従って得られた微分値、
第２のＣＱＩ及び第３のＣＱＩ、又は
第２のＣＱＩ、並びに第３のＣＱＩ及び第２のＣＱＩ値に従って得られた微分値、又は
第３のＣＱＩ及び第４のＣＱＩ、又は
第３のＣＱＩ、並びに第４のＣＱＩ及び第３のＣＱＩ値に従って得られた微分値。
【０１１９】
ステップ１０２：チャネル状態情報を第２のネットワークデバイスに送信する。
【０１２０】
本発明の実施形態１の解決策において、第１のネットワークデバイスは、第２のネットワークデバイスによって送信される基準信号の測定に従ってチャネル状態情報を決定し、チャネル状態情報は、プリコーディング行列インジケーションＰＭＩと、ＰＭＩによって示されるプリコーディング行列内の行列要素を選択するように命令するのに用いられる選択情報とを含み、そして第１のネットワークデバイスは、チャネル状態情報を第２のネットワークデバイスに送信する。チャネル状態情報は、第２のネットワークデバイスにプリコーディングを実行するように命令するのに用いられるプリコーディング行列インジケーションＰＭＩと、ＰＭＩによって示されるプリコーディング行列内の行列要素を選択するように命令するのに用いられる選択情報とを含むので、第２のネットワークデバイスは、行列要素のための選択情報に従って、プリコーディングを実行するためのプリコーディング行列を決定し、２次元アンテナに適用可能なチャネルプリコーディング行列を合成することができる。したがって、合成されたプリコーディング行列の次元は、実際のチャネルの空間特徴により近く、これによって、プリコーディング行列の精度が効果的に改善する。
【０１２１】
実施形態２
例として８個のアンテナを用いることによって、本発明の実施形態１のステップが本発明の実施形態２において詳細に説明される。
【０１２２】
受信端が、送信端の基準信号を測定する。測定によって得られる第１のプリコーディング行列はＷｈであり、ｒｈはＷｈの階数インジケーションであり、得られる第２のプリコーディング行列はＷｖであり、ｒｖはＷｖの階数インジケーションであり、ここで、
【数１】
2017502599.tif 000003
及び
【数２】
2017502599.tif 000004
である。
【０１２３】
８個の受信アンテナが存在するため、ｒｈ及びｒｖの値は８である。
【０１２４】
受信端は、送信端の基準信号の測定結果に従ってチャネル状態情報を決定する。ここで、チャネル状態情報は、２つのプリコーディング行列インジケーションＰＭＩと、ＰＭＩによって示されるプリコーディング行列内の行列要素を選択するように命令するのに用いられる選択情報とを含む。
【０１２５】
ＰＭＩによって示されるプリコーディング行列はＷｈ及びＷｖであり、選択情報は、Ｗｈ内の行列要素を選択するための第１の選択情報と、Ｗｖ内の行列要素を選択するための第２の選択情報とを含む。
【０１２６】
チャネルの合成されたプリコーディング行列の階数インジケーションＲＩはｍｉｎ（ｒｈ，ｒｖ）を超えないため、合成されたプリコーディング行列のＲＩは８を超えないことがわかり、ＰＭＩによって示されるプリコーディング行列内の行列要素は、選択情報を決定する異なる方式で選択される。
【０１２７】
方式１：
第１の列選択情報に含まれる選択された列要素の量と、第２の列選択情報に含まれる選択された列要素の量との積は、８以下である。
【０１２８】
第１の列選択情報に含まれる選択された列要素の量と第２の列選択情報に含まれる選択された列要素の量との積が８であると仮定すると、第１の列選択情報に含まれる選択された列要素の量は１、２又は４とすることができ、対応する第２の列選択情報に含まれる選択された列要素の量は８、４又は２とすることができる。
【０１２９】
第１の列選択情報に含まれる選択された列要素の量が４であり、第２の列選択情報に含まれる選択された列要素の量が２である例を用いることによって、以下に説明が与えられる。
【０１３０】
この場合、ＰＭＩによって示されるプリコーディング行列内の行列要素を選択するように命令するのに用いられる決定された選択情報は、第１の列選択情報：１０１１０１００、第２の列選択情報：０００１１０００として表すことができる。
【０１３１】
受信端は、決定されたチャネル状態情報を送信端に送信し、この場合、送信されるチャネル状態情報は、第１の列選択情報１０１１０１００に対応するＰＭＩ１と、第２の列選択情報０００１１０００に対応するＰＭＩ２とを含む。
【０１３２】
インジケーション「１」が、選択された対応する行列の列インジケーションとして定義されることに留意するべきである。すなわち、１０１１０１００は、第１のプリコーディング行列内の第１の列、第３の列、第４の列及び第６の列内の行列要素が選択されることを示し、０００１１０００は、第２のプリコーディング行列内の第４の列及び第５の列内の行列要素が選択されることを示し、
すなわち、第１の列、第３の列、第４の列及び第６の列内の行列要素は、
【数３】
2017502599.tif 000005
から選択され、
【数４】
2017502599.tif 000006
を形成し、
第４の列及び第５の列内の行列要素は、
【数５】
2017502599.tif 000007
から選択され、
【数６】
2017502599.tif 000008
を形成し、
それによって、送信端は、受信したチャネル状態情報に従って新たなプリコーディング行列、すなわち、
【数７】
2017502599.tif 000009
を生成する。
【０１３３】
方式２
第１の列選択情報に含まれる選択された列要素の量、及び第２の列選択情報に含まれる選択された列要素の量は、いずれも４以下である。
【０１３４】
第１の列選択情報に含まれる選択された列要素の量が４以下であり、第２の列選択情報に含まれる選択された列要素の量が４以下であると仮定すると、第１の列選択情報に含まれる選択された列要素の量は１、２、３又は４とすることができ、第２の列選択情報に含まれる選択された列要素の量も１、２、３又は４とすることができる。
【０１３５】
第１の列選択情報に含まれる選択された列要素の量が２であり、第２の列選択情報に含まれる選択された列要素の量が２である例を用いることによって、以下に説明が与えられる。
【０１３６】
この場合、ＰＭＩによって示されるプリコーディング行列内の行列要素を選択するように命令するのに用いられる決定された選択情報は、第１の列選択情報：００１１００００、第２の列選択情報：０００１１０００として表すことができる。
【０１３７】
受信端は、決定されたチャネル状態情報を送信端に送信し、この場合、送信されるチャネル状態情報は、第１の列選択情報００１１００００に対応するＰＭＩ１と、第２の列選択情報０００１１０００に対応するＰＭＩ２とを含む。
【０１３８】
インジケーション「１」が、選択された対応する行列の列インジケーションとして定義されることに留意するべきである。すなわち、００１１００００は、第１のプリコーディング行列内の第３の列及び第４の列内の行列要素が選択されることを示し、０００１１０００は、第２のプリコーディング行列内の第４の列及び第５の列内の行列要素が選択されることを示し、
すなわち、第３の列及び第４の列内の行列要素は、
【数８】
2017502599.tif 000010
から選択され、
【数９】
2017502599.tif 000011
を形成し、
第４の列及び第５の列内の行列要素は、
【数１０】
2017502599.tif 000012
から選択され、
【数１１】
2017502599.tif 000013
を形成し、
それによって、送信端は、受信したチャネル状態情報に従って新たなプリコーディング行列、すなわち、
【数１２】
2017502599.tif 000014
を生成する。
【０１３９】
加えて、受信端によって送信端に送信されるチャネル状態情報は、チャネル品質インジケータＣＱＩ情報を更に含む。
【０１４０】
ＣＱＩ情報は、各ＰＭＩによって示されるプリコーディング行列に従って計算される第１のＣＱＩ値、及び／又は各ＰＭＩによって示されるプリコーディング行列に対し列選択が実行された後のプリコーディング行列に従って得られる第２のＣＱＩ値を含むことができる。
【０１４１】
例えば、第１のＣＱＩはＷＨに従って得られ、別の第１のＣＱＩはＷＶに従って得られ、
第２のＣＱＩはＷ’Ｈに従って得られ、別の第２のＣＱＩはＷ’Ｖに従って得られる。
【０１４２】
ＣＱＩ情報は、少なくとも２つのＰＭＩによって示されるプリコーディング行列に対しクロネッカー積を実行することによって得られるプリコーディング行列に従って計算される第３のＣＱＩ値、及び／又は少なくとも２つのＰＭＩによって示されるプリコーディング行列に対し列選択が実行された後のプリコーディング行列に対しクロネッカー積を実行することによって得られるプリコーディング行列に従って計算される第４のＣＱＩ値を更に含むことができる。
【０１４３】
【数１３】
2017502599.tif 000015
及び第３のＣＱＩは、Ｗ２Ｄに従って得られ、
【数１４】
2017502599.tif 000016
及び第４のＣＱＩは、Ｗ’２Ｄに従って得られる。
【０１４４】
受信端によって送信されるチャネル状態情報は、
第１のＣＱＩ、又は
第１のＣＱＩ及び第３のＣＱＩ、又は
第３のＣＱＩ及び少なくとも１つの第１のＣＱＩに従って得られた微分値、又は
第１のＣＱＩ及び第２のＣＱＩ、又は
第２のＣＱＩ及び少なくとも１つの第１のＣＱＩに従って得られた微分値、又は
第１のＣＱＩ及び第４のＣＱＩ、又は
第４のＣＱＩ及び少なくとも１つの第１のＣＱＩに従って得られた微分値、又は
第２のＣＱＩ及び第４のＣＱＩ、又は
第２のＣＱＩ、並びに第４のＣＱＩ及び第２のＣＱＩ値に従って得られた微分値、
第２のＣＱＩ及び第３のＣＱＩ、又は
第２のＣＱＩ、並びに第３のＣＱＩ及び第２のＣＱＩ値に従って得られた微分値、又は
第３のＣＱＩ及び第４のＣＱＩ、又は
第３のＣＱＩ、並びに第４のＣＱＩ及び第３のＣＱＩ値に従って得られた微分値、
を更に含むことに留意するべきである。
【０１４５】
実施形態３
図２は、本発明の実施形態３による、チャネル状態情報を送信する方法の概略フローチャートである。本発明の実施形態３は、本発明の実施形態１における発明の概念と同じ発明の概念を有する発明である。本方法は以下のように説明することができる。
【０１４６】
ステップ２０１：第２のネットワークデバイスが、第１のネットワークデバイスによって送信されるチャネル状態情報を受信する。
【０１４７】
チャネル状態情報は、プリコーディング行列インジケーションＰＭＩと、ＰＭＩによって示されるプリコーディング行列内の行列要素を選択するのに用いられる選択情報とを含む。
【０１４８】
ステップ２０１において、第２のネットワークデバイスによって受信されるチャネル状態情報は、ＰＭＩ及び選択情報を含み、ここで、
ダブルコードブック構造の場合、ＰＭＩによって示されるプリコーディング行列は、２つのサブＰＭＩによってそれぞれ示されるプリコーディング行列を合成することによって得られる。
【０１４９】
詳細には、チャネル状態情報は、少なくとも２つのＰＭＩに関する情報を含む。
【０１５０】
チャネル状態情報は、少なくとも２つのＰＭＩによって示されるプリコーディング行列内の行列要素を選択するための選択情報を含む。
【０１５１】
少なくとも２つのＰＭＩに関する情報は、第１のネットワークデバイスによって、異なる基準信号の構成情報に従った測定によって得られる。
【０１５２】
少なくとも２つのＰＭＩに関する情報は、第１のネットワークデバイスによって、異なるチャネル状態情報プロセスＣＳＩ  ｐｒｏｃｅｓｓの構成情報に従った測定によって得られる。
【０１５３】
ＰＭＩによって示されるプリコーディング行列内の行列要素を選択するように命令するのに用いられる選択情報は、列選択情報及び行選択情報を含む。
【０１５４】
チャネル状態情報が少なくとも２つのＰＭＩを含むとき、少なくとも２つのＰＭＩによってそれぞれ示されるプリコーディング行列内の行列要素に対する列選択を実行するように命令するのに用いられる列の量の積は、第１の数値以下である。
【０１５５】
チャネル状態情報が少なくとも２つのＰＭＩを含むとき、少なくとも２つのＰＭＩによってそれぞれ示されるプリコーディング行列内の行列要素に対する列選択を実行するように命令するのに用いられる列の量の積は、第１の数値以上である。
【０１５６】
第１の数値は、第１のネットワークデバイスによって報告される第１の階数インジケーションＲＩであるか、又は第１の数値は、第２のネットワークデバイスによって構成される第１のＲＩである。
【０１５７】
第１の数値は、第１のネットワークデバイスの受信アンテナの量と、第２のネットワークデバイスの送信アンテナの量とのうちの小さい方である。
【０１５８】
チャネル状態情報が少なくとも２つのＰＭＩを含むとき、各ＰＭＩによって示されるプリコーディング行列内の行列要素に対する列選択を実行するように命令するのに用いられる列の量は、第２の数値以下である。
【０１５９】
チャネル状態情報が少なくとも２つのＰＭＩを含むとき、各ＰＭＩによって示されるプリコーディング行列内の行列要素に対する列選択を実行するように命令するのに用いられる列の量は、第２の数値以上である。
【０１６０】
第２の数値は、第１のネットワークデバイスによって報告される第２の階数インジケーションＲＩであるか、又は第２の数値は、第２のネットワークによって構成される第２のＲＩである。
【０１６１】
第２の数値は、第１のネットワークデバイスの受信アンテナの量と、第２のネットワークデバイスの送信アンテナの量とのうちの小さい方である。
【０１６２】
異なるＰＭＩによって示されるプリコーディング行列について、第１のネットワークデバイスは、プリコーディング行列の各々における行列要素に対する列選択を実行するための第３の数値を別個に決定する。
【０１６３】
第３の数値は、第１のネットワークデバイスによって報告される第３の階数インジケーションＲＩであるか、又は第３の数値は、第２のネットワークデバイスによって構成される第３のＲＩである。
【０１６４】
列選択情報はビットマップ信号伝達フォーマットである。
【０１６５】
少なくとも２つのＰＭＩによって示されるプリコーディング行列に対する列選択を実行するための選択情報のために、独立コーディング方式又は共同コーディング方式が用いられる。
【０１６６】
本発明の別の実施形態では、チャネル状態情報は、チャネル品質インジケータＣＱＩ情報を更に含む。ここで、ＣＱＩ情報は、各ＰＭＩによって示されるプリコーディング行列に従って計算される第１のＣＱＩ値及び／又は各ＰＭＩによって示されるプリコーディング行列に対し列選択が実行された後のプリコーディング行列に従って得られる第２のＣＱＩ値を含む。
【０１６７】
本発明の別の実施形態では、チャネル状態情報は、チャネル品質インジケータＣＱＩ情報を更に含む。ここで、ＣＱＩ情報は、少なくとも２つのＰＭＩによって示されるプリコーディング行列に対しクロネッカー積を実行することによって得られるプリコーディング行列に従って計算される第３のＣＱＩ、及び／又は少なくとも２つのＰＭＩによって示されるプリコーディング行列に対し列選択が実行された後のプリコーディング行列に対しクロネッカー積を実行することによって得られるプリコーディング行列に従って計算される第４のＣＱＩを含む。
【０１６８】
本発明の別の実施形態では、第２のネットワークデバイスによって受信されるチャネル状態情報は、
第１のＣＱＩ、又は
第１のＣＱＩ及び第３のＣＱＩ、又は
第３のＣＱＩ及び少なくとも１つの第１のＣＱＩに従って得られた微分値、又は
第１のＣＱＩ及び第２のＣＱＩ、又は
第２のＣＱＩ及び少なくとも１つの第１のＣＱＩに従って得られた微分値、又は
第１のＣＱＩ及び第４のＣＱＩ、又は
第４のＣＱＩ及び少なくとも１つの第１のＣＱＩに従って得られた微分値、又は
第２のＣＱＩ及び第４のＣＱＩ、又は
第２のＣＱＩ、並びに第４のＣＱＩ及び第２のＣＱＩ値に従って得られた微分値、
第２のＣＱＩ及び第３のＣＱＩ、又は
第２のＣＱＩ、並びに第３のＣＱＩ及び第２のＣＱＩ値に従って得られた微分値、又は
第３のＣＱＩ及び第４のＣＱＩ、又は
第３のＣＱＩ、並びに第４のＣＱＩ及び第３のＣＱＩ値に従って得られた微分値を更に含む。
【０１６９】
ステップ２０２：チャネル状態情報に従って、第１のネットワークデバイスと通信するのに用いられるプリコーディング行列を得る。
【０１７０】
ステップ２０２において、チャネル状態情報に従って、第１のネットワークデバイスと通信するのに用いられるプリコーディング行列を得ることは、
第２のネットワークデバイスが、選択情報に従って、ＰＭＩによって示されるプリコーディング行列内の行列要素を選択し、選択された行列要素を用いることによって、第１のネットワークデバイスと通信するのに用いられるプリコーディング行列を生成することを含む。
【０１７１】
実施形態４
図３は、本発明の実施形態４による、チャネル状態情報を送信するためのデバイスの構造の概略図である。本発明の実施形態４は、本発明の実施形態１乃至本発明の実施形態３における発明の概念と同じ発明の概念を有する発明である。デバイスは、決定モジュール１１及び送信モジュール１２を備え、ここで、
決定モジュール１１は、第２のネットワークデバイスによって送信される基準信号の測定に従ってチャネル状態情報を決定するように構成され、ここで、チャネル状態情報は、プリコーディング行列インジケーションＰＭＩと、ＰＭＩによって示されるプリコーディング行列内の行列要素を選択するように命令するのに用いられる選択情報とを含み、
送信モジュール１２は、チャネル状態情報を第２のネットワークデバイスに送信するように構成される。
【０１７２】
本発明の別の実施形態では、チャネル状態情報はＰＭＩ及び選択情報を含み、ここで、
ダブルコードブック構造の場合、ＰＭＩによって示されるプリコーディング行列は、２つのサブＰＭＩによってそれぞれ示されるプリコーディング行列を合成することによって得られる。
【０１７３】
詳細には、チャネル状態情報は、少なくとも２つのＰＭＩに関する情報を含む。
【０１７４】
チャネル状態情報は、少なくとも２つのＰＭＩによって示されるプリコーディング行列内の行列要素を選択するための選択情報を含む。
【０１７５】
少なくとも２つのＰＭＩに関する情報は、異なる基準信号の構成情報に従った測定によって得られる。
【０１７６】
少なくとも２つのＰＭＩに関する情報は、異なるチャネル状態情報プロセスＣＳＩ  ｐｒｏｃｅｓｓの構成情報に従った測定によって得られる。
【０１７７】
ＰＭＩによって示されるプリコーディング行列内の行列要素を選択するように命令するのに用いられる選択情報は、列選択情報及び行選択情報を含む。
【０１７８】
チャネル状態情報が少なくとも２つのＰＭＩを含むとき、少なくとも２つのＰＭＩによってそれぞれ示されるプリコーディング行列内の行列要素に対する列選択を実行するように命令するのに用いられる列の量の積は、第１の数値以下である。
【０１７９】
チャネル状態情報が少なくとも２つのＰＭＩを含むとき、少なくとも２つのＰＭＩによってそれぞれ示されるプリコーディング行列内の行列要素に対する列選択を実行するように命令するのに用いられる列の量の積は、第１の数値以上である。
【０１８０】
第１の数値は、第１のネットワークデバイスによって報告される第１の階数インジケーションＲＩであるか、又は第１の数値は、第２のネットワークデバイスによって構成される第１のＲＩである。
【０１８１】
第１の数値は、第１のネットワークデバイスの受信アンテナの量と、第２のネットワークデバイスの送信アンテナの量とのうちの小さい方である。
【０１８２】
チャネル状態情報が少なくとも２つのＰＭＩを含むとき、各ＰＭＩによって示されるプリコーディング行列内の行列要素に対する列選択を実行するように命令するのに用いられる列の量は、第２の数値以下である。
【０１８３】
チャネル状態情報が少なくとも２つのＰＭＩを含むとき、各ＰＭＩによって示されるプリコーディング行列内の行列要素に対する列選択を実行するように命令するのに用いられる列の量は、第２の数値以上である。
【０１８４】
第２の数値は、第１のネットワークデバイスによって報告される第２の階数インジケーションＲＩであるか、又は第２の数値は、第２のネットワークによって構成される第２のＲＩである。
【０１８５】
第２の数値は、第１のネットワークデバイスの受信アンテナの量と、第２のネットワークデバイスの送信アンテナの量とのうちの小さい方である。
【０１８６】
異なるＰＭＩによって示されるプリコーディング行列について、第１のネットワークデバイスは、プリコーディング行列の各々における行列要素に対する列選択を実行するための第３の数値を別個に決定する。
【０１８７】
第３の数値は、第１のネットワークデバイスによって報告される第３の階数インジケーションＲＩであるか、又は第３の数値は、第２のネットワークデバイスによって構成される第３のＲＩである。
【０１８８】
列選択情報はビットマップ信号伝達フォーマットである。
【０１８９】
少なくとも２つのＰＭＩによって示されるプリコーディング行列に対する列選択を実行するための選択情報のために、独立コーディング方式又は共同コーディング方式が用いられる。
【０１９０】
本発明の別の実施形態では、チャネル状態情報は、チャネル品質インジケータＣＱＩ情報を更に含む。ここで、ＣＱＩ情報は、各ＰＭＩによって示されるプリコーディング行列に従って計算される第１のＣＱＩ及び／又は各ＰＭＩによって示されるプリコーディング行列に対し列選択が実行された後のプリコーディング行列に従って得られる第２のＣＱＩを含む。
【０１９１】
本発明の別の実施形態では、チャネル状態情報は、チャネル品質インジケータＣＱＩ情報を更に含む。ここで、ＣＱＩ情報は、少なくとも２つのＰＭＩによって示されるプリコーディング行列に対しクロネッカー積を実行することによって得られるプリコーディング行列に従って計算される第３のＣＱＩ、及び／又は少なくとも２つのＰＭＩによって示されるプリコーディング行列に対し列選択が実行された後のプリコーディング行列に対しクロネッカー積を実行することによって得られるプリコーディング行列に従って計算される第４のＣＱＩを含む。
【０１９２】
本発明の別の実施形態では、チャネル状態情報は、
第１のＣＱＩ、又は
第１のＣＱＩ及び第３のＣＱＩ、又は
第３のＣＱＩ及び少なくとも１つの第１のＣＱＩに従って得られた微分値、又は
第１のＣＱＩ及び第２のＣＱＩ、又は
第２のＣＱＩ及び少なくとも１つの第１のＣＱＩに従って得られた微分値、又は
第１のＣＱＩ及び第４のＣＱＩ、又は
第４のＣＱＩ及び少なくとも１つの第１のＣＱＩに従って得られた微分値、又は
第２のＣＱＩ及び第４のＣＱＩ、又は
第２のＣＱＩ、並びに第４のＣＱＩ及び第２のＣＱＩ値に従って得られた微分値、
第２のＣＱＩ及び第３のＣＱＩ、又は
第２のＣＱＩ、並びに第３のＣＱＩ及び第２のＣＱＩ値に従って得られた微分値、又は
第３のＣＱＩ及び第４のＣＱＩ、又は
第３のＣＱＩ、並びに第４のＣＱＩ及び第３のＣＱＩ値に従って得られた微分値、
を更に含む。
【０１９３】
本発明の実施形態４に記載されるデバイスは、端末デバイスであってもよく、基地局デバイスであってもよく、また、ハードウェアを用いて実施されてもよく、ソフトウェアを用いて実施されてもよく、これは本明細書において限定されないことに留意するべきである。
【０１９４】
実施形態５
図４は、本発明の実施形態５による、チャネル状態情報を送信するためのデバイスの構造の概略図である。本発明の実施形態５は、本発明の実施形態１乃至実施形態４における発明の概念と同じ発明の概念を有する発明である。デバイスは、受信モジュール２１及び送信モジュール２２を備え、ここで、
受信モジュール２１は、第１のネットワークデバイスによって送信されたチャネル状態情報を受信するように構成され、ここで、チャネル状態情報は、プリコーディング行列インジケーションＰＭＩと、ＰＭＩによって示されるプリコーディング行列内の行列要素を選択するのに用いられる選択情報とを含み、
送信モジュール２２は、チャネル状態情報に従って、第１のネットワークデバイスと通信するのに用いられるプリコーディング行列を得るように構成される。
【０１９５】
本発明の別の実施形態では、送信モジュール２２は、選択情報に従って、ＰＭＩによって示されるプリコーディング行列内の行列要素を選択し、選択された行列要素を用いることによって、第１のネットワークデバイスと通信するのに用いられるプリコーディング行列を生成するように特に構成される。
【０１９６】
本発明の別の実施形態では、チャネル状態情報はＰＭＩ及び選択情報を含み、ここで、
ダブルコードブック構造の場合、ＰＭＩによって示されるプリコーディング行列は、２つのサブＰＭＩによってそれぞれ示されるプリコーディング行列を合成することによって得られる。
【０１９７】
詳細には、チャネル状態情報は、少なくとも２つのＰＭＩに関する情報を含む。
【０１９８】
チャネル状態情報は、少なくとも２つのＰＭＩによって示されるプリコーディング行列内の行列要素を選択するための選択情報を含む。
【０１９９】
少なくとも２つのＰＭＩに関する情報は、第１のネットワークデバイスによって、異なる基準信号の構成情報に従った測定によって得られる。
【０２００】
少なくとも２つのＰＭＩに関する情報は、第１のネットワークデバイスによって、異なるチャネル状態情報プロセスＣＳＩ  ｐｒｏｃｅｓｓの構成情報に従った測定によって得られる。
【０２０１】
ＰＭＩによって示されるプリコーディング行列内の行列要素を選択するように命令するのに用いられる選択情報は、列選択情報及び行選択情報を含む。
【０２０２】
チャネル状態情報が少なくとも２つのＰＭＩを含むとき、少なくとも２つのＰＭＩによってそれぞれ示されるプリコーディング行列内の行列要素に対する列選択を実行するように命令するのに用いられる列の量の積は、第１の数値以下である。
【０２０３】
チャネル状態情報が少なくとも２つのＰＭＩを含むとき、少なくとも２つのＰＭＩによってそれぞれ示されるプリコーディング行列内の行列要素に対する列選択を実行するように命令するのに用いられる列の量の積は、第１の数値以上である。
【０２０４】
第１の数値は、第１のネットワークデバイスによって報告される第１の階数インジケーションＲＩであるか、又は第１の数値は、第２のネットワークデバイスによって構成される第１のＲＩである。
【０２０５】
第１の数値は、第１のネットワークデバイスの受信アンテナの量と、第２のネットワークデバイスの送信アンテナの量とのうちの小さい方である。
【０２０６】
チャネル状態情報が少なくとも２つのＰＭＩを含むとき、各ＰＭＩによって示されるプリコーディング行列内の行列要素に対する列選択を実行するように命令するのに用いられる列の量は、第２の数値以下である。
【０２０７】
チャネル状態情報が少なくとも２つのＰＭＩを含むとき、各ＰＭＩによって示されるプリコーディング行列内の行列要素に対する列選択を実行するように命令するのに用いられる列の量は、第２の数値以上である。
【０２０８】
第２の数値は、第１のネットワークデバイスによって報告される第２の階数インジケーションＲＩであるか、又は第２の数値は、第２のネットワークによって構成される第２のＲＩである。
【０２０９】
第２の数値は、第１のネットワークデバイスの受信アンテナの量と、第２のネットワークデバイスの送信アンテナの量とのうちの小さい方である。
【０２１０】
異なるＰＭＩによって示されるプリコーディング行列について、第１のネットワークデバイスは、プリコーディング行列の各々における行列要素に対する列選択を実行するための第３の数値を別個に決定する。
【０２１１】
第３の数値は、第１のネットワークデバイスによって報告される第３の階数インジケーションＲＩであるか、又は第３の数値は、第２のネットワークデバイスによって構成される第３のＲＩである。
【０２１２】
列選択情報はビットマップ信号伝達フォーマットである。
【０２１３】
少なくとも２つのＰＭＩによって示されるプリコーディング行列に対する列選択を実行するための選択情報のために、独立コーディング方式又は共同コーディング方式が用いられる。
【０２１４】
本発明の別の実施形態では、第２のネットワークデバイスによって受信されるチャネル状態情報は、チャネル品質インジケータＣＱＩ情報を更に含む。ここで、ＣＱＩ情報は、各ＰＭＩによって示されるプリコーディング行列に従って計算される第１のＣＱＩ及び／又は各ＰＭＩによって示されるプリコーディング行列に対し列選択が実行された後のプリコーディング行列に従って得られる第２のＣＱＩを含む。
【０２１５】
本発明の別の実施形態では、第２のネットワークデバイスによって受信されるチャネル状態情報は、チャネル品質インジケータＣＱＩ情報を更に含む。ここで、ＣＱＩ情報は、少なくとも２つのＰＭＩによって示されるプリコーディング行列に対しクロネッカー積を実行することによって得られるプリコーディング行列に従って計算される第３のＣＱＩ、及び／又は少なくとも２つのＰＭＩによって示されるプリコーディング行列に対し列選択が実行された後のプリコーディング行列に対しクロネッカー積を実行することによって得られるプリコーディング行列に従って計算される第４のＣＱＩを含む。
【０２１６】
本発明の別の実施形態では、第２のネットワークデバイスによって受信されるチャネル状態情報は、
第１のＣＱＩ、又は
第１のＣＱＩ及び第３のＣＱＩ、又は
第３のＣＱＩ及び少なくとも１つの第１のＣＱＩに従って得られた微分値、又は
第１のＣＱＩ及び第２のＣＱＩ、又は
第２のＣＱＩ及び少なくとも１つの第１のＣＱＩに従って得られた微分値、又は
第１のＣＱＩ及び第４のＣＱＩ、又は
第４のＣＱＩ及び少なくとも１つの第１のＣＱＩに従って得られた微分値、又は
第２のＣＱＩ及び第４のＣＱＩ、又は
第２のＣＱＩ、並びに第４のＣＱＩ及び第２のＣＱＩ値に従って得られた微分値、
第２のＣＱＩ及び第３のＣＱＩ、又は
第２のＣＱＩ、並びに第３のＣＱＩ及び第２のＣＱＩ値に従って得られた微分値、又は
第３のＣＱＩ及び第４のＣＱＩ、又は
第３のＣＱＩ、並びに第４のＣＱＩ及び第３のＣＱＩ値に従って得られた微分値、
を更に含む。
【０２１７】
本発明の実施形態５に記載されるデバイスは、端末デバイスであってもよく、基地局デバイスであってもよく、また、ハードウェアを用いて実施されてもよく、ソフトウェアを用いて実施されてもよく、これは本明細書において限定されないことに留意するべきである。
【０２１８】
本発明の実施形態４と比較して、違いは、本発明の実施形態４がチャネル送信のための受信端を説明し、本発明の実施形態５がチャネル送信のための送信端を説明していることである。
【０２１９】
実施形態６
図５は、本発明の実施形態６による、チャネル状態情報を送信するためのデバイスの構造の概略図である。本発明の実施形態６は、本発明の実施形態１乃至本発明の実施形態５における発明の概念と同じ発明の概念を有する発明である。デバイスは、プロセッサ３１及び信号送信機３２を備え、ここで、プロセッサ３１はバス３３を用いることによって信号送信機３２に接続され、ここで、
プロセッサ３１は、第２のネットワークデバイスによって送信される基準信号の測定に従ってチャネル状態情報を決定するように構成され、ここで、チャネル状態情報は、プリコーディング行列インジケーションＰＭＩと、ＰＭＩによって示されるプリコーディング行列内の行列要素を選択するように命令するのに用いられる選択情報とを含み、
信号送信機３２は、チャネル状態情報を第２のネットワークデバイスに送信するように構成される。
【０２２０】
本発明の別の実施形態では、チャネル状態情報はＰＭＩ及び選択情報を含み、ここで、
ダブルコードブック構造の場合、ＰＭＩによって示されるプリコーディング行列は、２つのサブＰＭＩによってそれぞれ示されるプリコーディング行列を合成することによって得られる。
【０２２１】
詳細には、チャネル状態情報は、少なくとも２つのＰＭＩに関する情報を含む。
【０２２２】
チャネル状態情報は、少なくとも２つのＰＭＩによって示されるプリコーディング行列内の行列要素を選択するための選択情報を含む。
【０２２３】
少なくとも２つのＰＭＩに関する情報は、異なる基準信号の構成情報に従った測定によって得られる。
【０２２４】
少なくとも２つのＰＭＩに関する情報は、異なるチャネル状態情報プロセスＣＳＩ  ｐｒｏｃｅｓｓの構成情報に従った測定によって得られる。
【０２２５】
ＰＭＩによって示されるプリコーディング行列内の行列要素を選択するように命令するのに用いられる選択情報は、列選択情報及び行選択情報を含む。
【０２２６】
チャネル状態情報が少なくとも２つのＰＭＩを含むとき、少なくとも２つのＰＭＩによってそれぞれ示されるプリコーディング行列内の行列要素に対する列選択を実行するように命令するのに用いられる列の量の積は、第１の数値以下である。
【０２２７】
チャネル状態情報が少なくとも２つのＰＭＩを含むとき、少なくとも２つのＰＭＩによってそれぞれ示されるプリコーディング行列内の行列要素に対する列選択を実行するように命令するのに用いられる列の量の積は、第１の数値以上である。
【０２２８】
第１の数値は、第１のネットワークデバイスによって報告される第１の階数インジケーションＲＩであるか、又は第１の数値は、第２のネットワークデバイスによって構成される第１のＲＩである。
【０２２９】
第１の数値は、第１のネットワークデバイスの受信アンテナの量と、第２のネットワークデバイスの送信アンテナの量とのうちの小さい方である。
【０２３０】
チャネル状態情報が少なくとも２つのＰＭＩを含むとき、各ＰＭＩによって示されるプリコーディング行列内の行列要素に対する列選択を実行するように命令するのに用いられる列の量は、第２の数値以下である。
【０２３１】
チャネル状態情報が少なくとも２つのＰＭＩを含むとき、各ＰＭＩによって示されるプリコーディング行列内の行列要素に対する列選択を実行するように命令するのに用いられる列の量は、第２の数値以上である。
【０２３２】
第２の数値は、第１のネットワークデバイスによって報告される第２の階数インジケーションＲＩであるか、又は第２の数値は、第２のネットワークによって構成される第２のＲＩである。
【０２３３】
第２の数値は、第１のネットワークデバイスの受信アンテナの量と、第２のネットワークデバイスの送信アンテナの量とのうちの小さい方である。
【０２３４】
異なるＰＭＩによって示されるプリコーディング行列について、第１のネットワークデバイスは、プリコーディング行列の各々における行列要素に対する列選択を実行するための第３の数値を別個に決定する。
【０２３５】
第３の数値は、第１のネットワークデバイスによって報告される第３の階数インジケーションＲＩであるか、又は第３の数値は、第２のネットワークデバイスによって構成される第３のＲＩである。
【０２３６】
列選択情報はビットマップ信号伝達フォーマットである。
【０２３７】
少なくとも２つのＰＭＩによって示されるプリコーディング行列に対する列選択を実行するための選択情報のために、独立コーディング方式又は共同コーディング方式が用いられる。
【０２３８】
本発明の別の実施形態では、チャネル状態情報は、チャネル品質インジケータＣＱＩ情報を更に含む。ここで、ＣＱＩ情報は、各ＰＭＩによって示されるプリコーディング行列に従って計算される第１のＣＱＩ及び／又は各ＰＭＩによって示されるプリコーディング行列に対し列選択が実行された後のプリコーディング行列に従って得られる第２のＣＱＩを含む。
【０２３９】
本発明の別の実施形態では、チャネル状態情報は、チャネル品質インジケータＣＱＩ情報を更に含む。ここで、ＣＱＩ情報は、少なくとも２つのＰＭＩによって示されるプリコーディング行列に対しクロネッカー積を実行することによって得られるプリコーディング行列に従って計算される第３のＣＱＩ、及び／又は少なくとも２つのＰＭＩによって示されるプリコーディング行列に対し列選択が実行された後のプリコーディング行列に対しクロネッカー積を実行することによって得られるプリコーディング行列に従って計算される第４のＣＱＩを含む。
【０２４０】
本発明の別の実施形態では、チャネル状態情報は、
第１のＣＱＩ、又は
第１のＣＱＩ及び第３のＣＱＩ、又は
第３のＣＱＩ及び少なくとも１つの第１のＣＱＩに従って得られた微分値、又は
第１のＣＱＩ及び第２のＣＱＩ、又は
第２のＣＱＩ及び少なくとも１つの第１のＣＱＩに従って得られた微分値、又は
第１のＣＱＩ及び第４のＣＱＩ、又は
第４のＣＱＩ及び少なくとも１つの第１のＣＱＩに従って得られた微分値、又は
第２のＣＱＩ及び第４のＣＱＩ、又は
第２のＣＱＩ、並びに第４のＣＱＩ及び第２のＣＱＩ値に従って得られた微分値、
第２のＣＱＩ及び第３のＣＱＩ、又は
第２のＣＱＩ、並びに第３のＣＱＩ及び第２のＣＱＩ値に従って得られた微分値、又は
第３のＣＱＩ及び第４のＣＱＩ、又は
第３のＣＱＩ、並びに第４のＣＱＩ及び第３のＣＱＩ値に従って得られた微分値を更に含む。
【０２４１】
本発明の実施形態６に記載されるデバイスは、端末デバイスであってもよく、基地局デバイスであってもよく、また、ハードウェアを用いて実施されてもよく、ソフトウェアを用いて実施されてもよく、これは本明細書において限定されないことに留意するべきである。
【０２４２】
実施形態７
図６は、本発明の実施形態７による、チャネル状態情報を送信するためのデバイスの構造の概略図である。本発明の実施形態７は、本発明の実施形態１乃至本発明の実施形態６における発明の概念と同じ発明の概念を有する発明である。デバイスは、信号受信機４１及びプロセッサ４２を備え、ここで、信号受信機４１はバス４３を用いることによってプロセッサ４２に接続され、ここで、
信号受信機４１は、第１のネットワークデバイスによって送信されるチャネル状態情報を受信するように構成され、ここで、チャネル状態情報は、プリコーディング行列インジケーションＰＭＩと、ＰＭＩによって示されるプリコーディング行列内の行列要素を選択するのに用いられる選択情報とを含み、
プロセッサ４２は、チャネル状態情報に従って、第１のネットワークデバイスと通信するのに用いられるプリコーディング行列を得るように構成される。
【０２４３】
本発明の別の実施形態では、プロセッサ４２は、選択情報に従って、ＰＭＩによって示されるプリコーディング行列内の行列要素を選択し、選択された行列要素を用いることによって、第１のネットワークデバイスと通信するのに用いられるプリコーディング行列を生成するように特に構成される。
【０２４４】
本発明の別の実施形態では、チャネル状態情報はＰＭＩ及び選択情報を含み、ここで、
ダブルコードブック構造の場合、ＰＭＩによって示されるプリコーディング行列は、２つのサブＰＭＩによってそれぞれ示されるプリコーディング行列を合成することによって得られる。
【０２４５】
詳細には、チャネル状態情報は、少なくとも２つのＰＭＩに関する情報を含む。
【０２４６】
チャネル状態情報は、少なくとも２つのＰＭＩによって示されるプリコーディング行列内の行列要素を選択するための選択情報を含む。
【０２４７】
少なくとも２つのＰＭＩに関する情報は、第１のネットワークデバイスによって、異なる基準信号の構成情報に従った測定によって得られる。
【０２４８】
少なくとも２つのＰＭＩに関する情報は、第１のネットワークデバイスによって、異なるチャネル状態情報プロセスＣＳＩ  ｐｒｏｃｅｓｓの構成情報に従った測定によって得られる。
【０２４９】
ＰＭＩによって示されるプリコーディング行列内の行列要素を選択するように命令するのに用いられる選択情報は、列選択情報及び行選択情報を含む。
【０２５０】
チャネル状態情報が少なくとも２つのＰＭＩを含むとき、少なくとも２つのＰＭＩによってそれぞれ示されるプリコーディング行列内の行列要素に対する列選択を実行するように命令するのに用いられる列の量の積は、第１の数値以下である。
【０２５１】
チャネル状態情報が少なくとも２つのＰＭＩを含むとき、少なくとも２つのＰＭＩによってそれぞれ示されるプリコーディング行列内の行列要素に対する列選択を実行するように命令するのに用いられる列の量の積は、第１の数値以上である。
【０２５２】
第１の数値は、第１のネットワークデバイスによって報告される第１の階数インジケーションＲＩであるか、又は第１の数値は、第２のネットワークデバイスによって構成される第１のＲＩである。
【０２５３】
第１の数値は、第１のネットワークデバイスの受信アンテナの量と、第２のネットワークデバイスの送信アンテナの量とのうちの小さい方である。
【０２５４】
チャネル状態情報が少なくとも２つのＰＭＩを含むとき、各ＰＭＩによって示されるプリコーディング行列内の行列要素に対する列選択を実行するように命令するのに用いられる列の量は、第２の数値以下である。
【０２５５】
チャネル状態情報が少なくとも２つのＰＭＩを含むとき、各ＰＭＩによって示されるプリコーディング行列内の行列要素に対する列選択を実行するように命令するのに用いられる列の量は、第２の数値以上である。
【０２５６】
第２の数値は、第１のネットワークデバイスによって報告される第２の階数インジケーションＲＩであるか、又は第２の数値は、第２のネットワークによって構成される第２のＲＩである。
【０２５７】
第２の数値は、第１のネットワークデバイスの受信アンテナの量と、第２のネットワークデバイスの送信アンテナの量とのうちの小さい方である。
【０２５８】
異なるＰＭＩによって示されるプリコーディング行列について、第１のネットワークデバイスは、プリコーディング行列の各々における行列要素に対する列選択を実行するための第３の数値を別個に決定する。
【０２５９】
第３の数値は、第１のネットワークデバイスによって報告される第３の階数インジケーションＲＩであるか、又は第３の数値は、第２のネットワークデバイスによって構成される第３のＲＩである。
【０２６０】
列選択情報はビットマップ信号伝達フォーマットである。
【０２６１】
少なくとも２つのＰＭＩによって示されるプリコーディング行列に対する列選択を実行するための選択情報のために、独立コーディング方式又は共同コーディング方式が用いられる。
【０２６２】
本発明の別の実施形態では、第２のネットワークデバイスによって受信されるチャネル状態情報は、チャネル品質インジケータＣＱＩ情報を更に含む。ここで、ＣＱＩ情報は、各ＰＭＩによって示されるプリコーディング行列に従って計算される第１のＣＱＩ及び／又は各ＰＭＩによって示されるプリコーディング行列に対し列選択が実行された後のプリコーディング行列に従って得られる第２のＣＱＩを含む。
【０２６３】
本発明の別の実施形態では、第２のネットワークデバイスによって受信されるチャネル状態情報は、チャネル品質インジケータＣＱＩ情報を更に含む。ここで、ＣＱＩ情報は、少なくとも２つのＰＭＩによって示されるプリコーディング行列に対しクロネッカー積を実行することによって得られるプリコーディング行列に従って計算される第３のＣＱＩ、及び／又は少なくとも２つのＰＭＩによって示されるプリコーディング行列に対し列選択が実行された後のプリコーディング行列に対しクロネッカー積を実行することによって得られるプリコーディング行列に従って計算される第４のＣＱＩを含む。
【０２６４】
本発明の別の実施形態では、第２のネットワークデバイスによって受信されるチャネル状態情報は、
第１のＣＱＩ、又は
第１のＣＱＩ及び第３のＣＱＩ、又は
第３のＣＱＩ及び少なくとも１つの第１のＣＱＩに従って得られた微分値、又は
第１のＣＱＩ及び第２のＣＱＩ、又は
第２のＣＱＩ及び少なくとも１つの第１のＣＱＩに従って得られた微分値、又は
第１のＣＱＩ及び第４のＣＱＩ、又は
第４のＣＱＩ及び少なくとも１つの第１のＣＱＩに従って得られた微分値、又は
第２のＣＱＩ及び第４のＣＱＩ、又は
第２のＣＱＩ、並びに第４のＣＱＩ及び第２のＣＱＩ値に従って得られた微分値、
第２のＣＱＩ及び第３のＣＱＩ、又は
第２のＣＱＩ、並びに第３のＣＱＩ及び第２のＣＱＩ値に従って得られた微分値、又は
第３のＣＱＩ及び第４のＣＱＩ、又は
第３のＣＱＩ、並びに第４のＣＱＩ及び第３のＣＱＩ値に従って得られた微分値、
を更に含む。
【０２６５】
本発明の実施形態７に記載されるデバイスは、端末デバイスであってもよく、基地局デバイスであってもよく、また、ハードウェアを用いて実施されてもよく、ソフトウェアを用いて実施されてもよく、これは本明細書において限定されないことに留意するべきである。
【０２６６】
本発明の実施形態６と比較して、違いは、本発明の実施形態６がチャネル送信のための受信端を説明し、本発明の実施形態７がチャネル送信のための送信端を説明していることである。
【０２６７】
当業者であれば、本発明の実施形態を、方法として、装置（デバイス）として、又はコンピュータプログラム製品として提供することができることを理解するべきである。したがって、本発明は、ハードウェアのみの実施形態、ソフトウェアのみの実施形態、又はソフトウェア及びハードウェアの組合せを有する実施形態の形態を用いることができる。更に、本発明は、コンピュータ使用可能なプログラムコードを含む１つ又は複数のコンピュータ使用可能な記憶媒体（ディスクメモリ、ＣＤ−ＲＯＭ又は光学メモリ等を含むがこれらに限定されない）において実施されるコンピュータプログラム製品の形態を用いることができる。
【０２６８】
本発明は、本発明の実施形態による方法、装置（デバイス）及びコンピュータプログラム製品のフローチャート及び／又はブロック図を参照して説明されている。コンピュータプログラム命令を用いて、フローチャート及び／又はブロック図内の各プロセス及び／又は各ブロック、並びにフローチャート及び／又はブロック図内のプロセス及び／又はブロックの組合せを実施することができることが理解されるべきである。これらのコンピュータプログラム命令は、汎用コンピュータ、専用コンピュータ、埋込みプロセッサ、又はマシンを生成するための任意の他のプログラマブルデータ処理デバイスのプロセッサに提供することができ、それによって、任意の他のプログラマブルデータ処理デバイスのコンピュータ又はプロセッサによって実行される命令が、フローチャート内の１つ若しくは複数のプロセス及び／又はブロック図内の１つ若しくは複数のブロックにおける特定の機能を実施するための装置を生成する。
【０２６９】
これらのコンピュータプログラム命令は、コンピュータ又は任意の他のプログラマブルデータ処理デバイスに、特定の方式で機能するように命令することができるコンピュータ可読メモリに記憶することもでき、それによって、コンピュータ可読メモリ内に記憶された命令が、命令装置を含む人工製品を生成する。命令装置は、フローチャート内の１つ若しくは複数のプロセス及び／又はブロック図内の１つ若しくは複数のブロックにおける特定の機能を実施する。
【０２７０】
これらのコンピュータプログラム命令は、コンピュータ又は別のプログラマブルデータ処理デバイス上にロードすることができ、それによって、コンピュータ又は別のプログラマブルデバイスにおいて一連の動作及びステップが実行され、それによってコンピュータにより実施される処理が生成される。したがって、コンピュータ又は別のプログラマブルデバイスにおいて実行される命令は、フローチャート内の１つ若しくは複数のプロセス及び／又はブロック図内の１つ若しくは複数のブロックにおける特定の機能を実施するためのステップを提供する。
【０２７１】
本発明の幾つかの好ましい実施形態が説明されてきたが、当業者は、基本的な発明の概念を学べば、これらの実施形態に対し、変形及び変更を行うことができる。したがって、以下の特許請求の範囲は、本発明の範囲内に入る例示的な実施形態並びに全ての変形及び変更をカバーするように解釈されることが意図される。
【０２７２】
明らかに、当業者は、本発明の趣旨及び範囲から逸脱することなく、本発明に対し様々な変更及び変形を行うことができる。本発明は、これらの変更及び変形が、以下の特許請求の範囲及びそれらの等価な技術によって画定される保護範囲内に入るという条件で、これらの変更及び変形をカバーするように意図される。
【図１】
2017502599.tif 000017
【図２】
2017502599.tif 000018
【図３】
2017502599.tif 000019
【図４】
2017502599.tif 000020
【図５】
2017502599.tif 000021
【図６】
2017502599.tif 000022
【手続補正書】
【提出日】平成28年8月1日(2016.8.1)
【手続補正１】
【補正対象書類名】明細書
【補正対象項目名】００８４
【補正方法】変更
【補正の内容】
【００８４】
例えば、アクティブアンテナシステム（ＡＡＳ，Ａｃｔｉｖｅ  Ａｎｔｅｎｎａ  Ｓｙｓｔｅｍ）には、水平次元におけるアンテナのみでなく、垂直次元におけるアンテナ次元も存在する。
【手続補正２】
【補正対象書類名】特許請求の範囲
【補正対象項目名】全文
【補正方法】変更
【補正の内容】
【特許請求の範囲】
【請求項１】
チャネル状態情報を送信するための第１のネットワークデバイスであって、
第２のネットワークデバイスによって送信される基準信号の測定に従ってチャネル状態情報を決定するように構成されるプロセッサであって、前記チャネル状態情報は、プリコーディング行列インジケーション（ＰＭＩ）と、前記ＰＭＩによって示されるプリコーディング行列内の行列要素を選択するように命令するのに用いられる選択情報とを含む、プロセッサと、
前記チャネル状態情報を前記第２のネットワークデバイスに送信するように構成される信号送信機と、
を備える、第１のネットワークデバイス。
【請求項２】
ダブルコードブック構造の場合、前記ＰＭＩによって示される前記プリコーディング行列は、２つのサブＰＭＩによってそれぞれ示されるプリコーディング行列を合成することによって得られる、請求項１に記載の第１のネットワークデバイス。
【請求項３】
前記チャネル状態情報は、少なくとも２つのＰＭＩに関する情報を含む、請求項１に記載の第１のネットワークデバイス。
【請求項４】
前記チャネル状態情報は、前記少なくとも２つのＰＭＩによって示されるプリコーディング行列内の行列要素を選択するための選択情報を含む、請求項１又は３に記載の第１のネットワークデバイス。
【請求項５】
前記チャネル状態情報が少なくとも２つのＰＭＩを含むとき、前記少なくとも２つのＰＭＩによってそれぞれ示されるプリコーディング行列内の行列要素に対する列選択を実行するように命令するのに用いられる列の量の積は、第１の数値以下である、請求項１乃至４のいずれか一項に記載の第１のネットワークデバイス。
【請求項６】
前記第１の数値は、前記第１のネットワークデバイスによって報告される第１の階数インジケーション（ＲＩ）であるか、又は前記第１の数値は、前記第２のネットワークデバイスによって構成される第１のＲＩである、請求項５に記載の第１のネットワークデバイス。
【請求項７】
前記チャネル状態情報が少なくとも２つのＰＭＩを含むとき、各ＰＭＩによって示されるプリコーディング行列内の行列要素に対する列選択を実行するように命令するのに用いられる列の量は、第２の数値以下である、請求項１乃至４のいずれか一項に記載の第１のネットワークデバイス。
【請求項８】
異なるＰＭＩによって示されるプリコーディング行列について、前記第１のネットワークデバイスは、前記プリコーディング行列の各々における行列要素に対する列選択を実行するための第３の数値を別個に決定する、請求項７に記載の第１のネットワークデバイス。
【請求項９】
前記チャネル状態情報は、チャネル品質インジケータ（ＣＱＩ）情報を更に含み、前記ＣＱＩ情報は、前記少なくとも２つのＰＭＩによって示されるプリコーディング行列に対しクロネッカー積を実行することによって得られるプリコーディング行列に従って計算される第３のＣＱＩ、及び／又は前記少なくとも２つのＰＭＩによって示されるプリコーディング行列に対し列選択が実行された後のプリコーディング行列に対しクロネッカー積を実行することによって得られるプリコーディング行列に従って計算される第４のＣＱＩを更に含む、請求項１に記載の第１のネットワークデバイス。
【請求項１０】
チャネル状態情報を送信するための第２のネットワークデバイスであって、
第１のネットワークデバイスによって送信されるチャネル状態情報を受信するように構成される信号受信機であって、前記チャネル状態情報は、プリコーディング行列インジケーション（ＰＭＩ）と、前記ＰＭＩによって示されるプリコーディング行列内の行列要素を選択するのに用いられる選択情報とを含む、信号受信機と、
前記チャネル状態情報に従って、前記第１のネットワークデバイスと通信するのに用いられるプリコーディング行列を得るように構成されるプロセッサと、
を備える、第２のネットワークデバイス。
【請求項１１】
前記プロセッサは、
前記選択情報に従って、前記ＰＭＩによって示される前記プリコーディング行列内の行列要素を選択し、前記選択された行列要素を用いることによって、前記第１のネットワークデバイスと通信するのに用いられるプリコーディング行列を生成するように更に構成される、請求項１０に記載の第２のネットワークデバイス。
【請求項１２】
ダブルコードブック構造の場合、前記ＰＭＩによって示される前記プリコーディング行列は、２つのサブＰＭＩによってそれぞれ示されるプリコーディング行列を合成することによって得られる、請求項１０に記載の第２のネットワークデバイス。
【請求項１３】
前記チャネル状態情報は、少なくとも２つのＰＭＩに関する情報を含む、請求項１０に記載の第２のネットワークデバイス。
【請求項１４】
前記チャネル状態情報は、前記少なくとも２つのＰＭＩによって示されるプリコーディング行列内の行列要素を選択するための選択情報を含む、請求項１０又は１３に記載の第２のネットワークデバイス。
【請求項１５】
前記チャネル状態情報が少なくとも２つのＰＭＩを含むとき、前記少なくとも２つのＰＭＩによってそれぞれ示されるプリコーディング行列内の行列要素に対する列選択を実行するように命令するのに用いられる列の量の積は、第１の数値以下である、請求項１０乃至１４のいずれか一項に記載の第２のネットワークデバイス。
【請求項１６】
前記第１の数値は、前記第１のネットワークデバイスによって報告される第１の階数インジケーション（ＲＩ）であるか、又は前記第１の数値は、前記第２のネットワークデバイスによって構成される第１のＲＩである、請求項１５に記載の第２のネットワークデバイス。
【請求項１７】
前記チャネル状態情報が少なくとも２つのＰＭＩを含むとき、各ＰＭＩによって示されるプリコーディング行列内の行列要素に対する列選択を実行するように命令するのに用いられる列の量は、第２の数値以下である、請求項１０乃至１４のいずれか一項に記載の第２のネットワークデバイス。
【請求項１８】
異なるＰＭＩによって示されるプリコーディング行列について、前記第１のネットワークデバイスは、前記プリコーディング行列の各々における行列要素に対する列選択を実行するための第３の数値を別個に決定する、請求項１７に記載の第２のネットワークデバイス。
【請求項１９】
前記チャネル状態情報は、チャネル品質インジケータ（ＣＱＩ）情報を更に含み、前記ＣＱＩ情報は、前記少なくとも２つのＰＭＩによって示されるプリコーディング行列に対しクロネッカー積を実行することによって得られるプリコーディング行列に従って計算される第３のＣＱＩ、及び／又は前記少なくとも２つのＰＭＩによって示されるプリコーディング行列に対し列選択が実行された後のプリコーディング行列に対しクロネッカー積を実行することによって得られるプリコーディング行列に従って計算される第４のＣＱＩを更に含む、請求項１０に記載の第２のネットワークデバイス。
【国際調査報告】
2017502599.tif 000023
2017502599.tif 000024
2017502599.tif 000025
2017502599.tif 000026
2017502599.tif 000027